(57)【要約】  方法、装置、およびコンピュータ可読媒体が説明される。一例では、ワイヤレス通信ネットワークにおいてポジション測定信号を提供するための、基地局上での方法であって、ダウンリンク送信のための複数のサブキャリアを決定すること、ここにおいて、ダウンリンク送信のための複数のサブキャリアは、スケジュールされた送信機会内のスケジュールされた送信時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである（６１０）、と、スケジュールされた送信時間において、かつ、複数のサブキャリアの各サブキャリアを使用して、スケジュールされた送信機会においてワイヤレスポジション測定信号を送信すること、ワイヤレスポジション測定信号は、ポジション測定信号ビットストリームを表すワイヤレス信号のシーケンスの一部である（６２０）、と、を備える。【選択図】図６
2021520709.tif 000002
【特許請求の範囲】
【請求項１】
ワイヤレス通信ネットワークにおいてポジション測定信号を提供するための、基地局上での方法であって、前記方法は、
前記基地局において、ダウンリンク送信のための複数のサブキャリアを決定すること、ここにおいて、前記ダウンリンク送信のための複数のサブキャリアは、スケジュールされた送信機会内のスケジュールされた送信時間のリソースブロックにおいて示される全てのサブキャリアを備え、ここにおいて、前記リソースブロックは、複数のシンボル期間を備え、ここにおいて、前記複数のシンボル期間の各シンボル期間は、前記複数のサブキャリアのうちの１つまたは複数のサブキャリアを使用するシンボルの送信のためのものである、と、
前記基地局から、前記スケジュールされた送信時間において、かつ、前記複数のサブキャリアの各サブキャリアを使用して、前記スケジュールされた送信機会においてワイヤレスポジション測定信号を送信すること、前記ワイヤレスポジション測定信号は、ポジション測定信号ビットストリームを表すワイヤレス信号のシーケンスの一部である、と
を備え、
ここにおいて、前記ワイヤレスポジション測定信号は、前記複数のシンボル期間のうちの１つまたは複数のシンボル期間において送信される１つまたは複数のシンボルを備え、
ここにおいて、前記ワイヤレスポジション測定信号の前記スケジュールされた送信機会のタイミングは、それが、前記タイミングに基づいてポジション測定が行われることを可能にするようなものである、方法。
【請求項２】
前記ワイヤレスポジション測定信号は、複数のシンボルを備え、前記複数のシンボルの各シンボルは、前記複数のシンボル期間の各シンボル期間において送信されており、
前記複数のシンボルの各シンボルは、前記複数のサブキャリアの各サブキャリアが、前記複数のシンボルを備える前記ワイヤレスポジション測定信号の前記送信のために少なくとも１回使用されるように、前記複数のサブキャリアのうちの少なくとも１つのサブキャリアを使用して送信される、請求項１に記載の方法。
【請求項３】
前記複数のサブキャリアのうちの少なくとも２つのサブキャリアが、異なる数のシンボルの送信のために使用される、請求項２に記載の方法。
【請求項４】
前記１つまたは複数のシンボルの各シンボルは、前記複数のサブキャリアの各サブキャリアが、同じ数のシンボルの送信のために使用されるように、前記複数のサブキャリアのうちの１つより多くのサブキャリアを使用して送信される、請求項１に記載の方法。
【請求項５】
前記１つまたは複数のシンボルは、２つのシンボルを備え、
前記２つのシンボルは、前記複数のサブキャリアのうちの、２つの異なるセットのサブキャリアを使用して送信される、請求項４に記載の方法。
【請求項６】
前記１つまたは複数のシンボルの各シンボルは、前記複数のサブキャリアを使用して送信される、請求項４に記載の方法。
【請求項７】
前記リソースブロックは、物理リソースブロック（ＰＲＢ）を含み、
前記複数のシンボル期間の各シンボル期間と、前記複数のサブキャリアの各サブキャリアとのペアリングは、前記ＰＲＢのリソース要素（ＲＥ）を形成する、請求項１に記載の方法。
【請求項８】
ポジション測定を実行するための、モバイルデバイス上での方法であって、前記方法は、
前記モバイルデバイスにおいて、スケジュールされた送信機会内のスケジュールされた時間において、無線信号のシーケンスを受信することと、
前記モバイルデバイス上で、前記無線信号のシーケンスを処理するための複数のサブキャリアを決定すること、ここにおいて、前記複数のサブキャリアは、前記スケジュールされた時間のリソースブロックにおいて示される全てのサブキャリアを備え、ここにおいて、前記リソースブロックは、複数のシンボル期間を備え、ここにおいて、前記複数のシンボル期間の各シンボル期間は、前記複数のサブキャリアのうちの１つまたは複数のサブキャリアを使用するシンボルの送信のためのものである、と、
前記モバイルデバイス上で、前記無線信号のシーケンスがポジション測定信号ビットストリームを表すかどうかを決定するために、前記リソースブロックの前記複数のサブキャリアの各々を使用して前記無線信号のシーケンスを処理することと、
前記無線信号のシーケンスが前記ポジション測定信号ビットストリームを表すと決定することに応答して：
前記モバイルデバイス上で、前記処理することの結果に基づいて、前記ポジション測定信号ビットストリームを受信した時間を決定することと、
前記モバイルデバイスにおいて、前記ポジション測定信号ビットストリームを前記受信した時間に基づいて、ポジション測定を実行することと
を備える、方法。
【請求項９】
前記無線信号のシーケンスは、複数のシンボルを表し、前記複数のシンボルの各シンボルは、前記複数のシンボル期間の各シンボル期間において送信されており、
前記複数のシンボルの各シンボルは、前記複数のサブキャリアの各サブキャリアが、前記複数のシンボルの前記送信のために少なくとも１回使用されるように、前記複数のサブキャリアのうちの少なくとも１つのサブキャリアを使用して送信される、請求項８に記載の方法。
【請求項１０】
前記複数のサブキャリアのうちの少なくとも２つのサブキャリアが、異なる数のシンボルの送信のために使用される、請求項８に記載の方法。
【請求項１１】
前記無線信号のシーケンスは、１つまたは複数のシンボルを備え、
前記１つまたは複数のシンボルの各シンボルは、前記複数のサブキャリアの各サブキャリアが、同じ数のシンボルの送信のために使用されるように、前記複数のサブキャリアのうちの１つより多くのサブキャリアを使用して送信される、請求項８に記載の方法。
【請求項１２】
前記１つまたは複数のシンボルは、２つのシンボルを備え、
前記２つのシンボルは、前記複数のサブキャリアのうちの、２つの異なるセットのサブキャリアを使用して送信される、請求項１１に記載の方法。
【請求項１３】
前記１つまたは複数のシンボルの各シンボルは、前記複数のサブキャリアを使用して送信される、請求項１１に記載の方法。
【請求項１４】
前記リソースブロックは、物理リソースブロック（ＰＲＢ）を含み、
前記複数のシンボル期間の各シンボル期間と、前記複数のサブキャリアの各サブキャリアとのペアリングは、前記ＰＲＢのリソース要素（ＲＥ）を形成する、請求項８に記載の方法。
【請求項１５】
前記モバイルデバイスにおいて、前記無線信号のシーケンスのサンプルのセットを生成すること、前記サンプルのセットの各サンプルは、タイムスタンプに関連付けられている、と、
前記モバイルデバイスにおいて、前記複数のサブキャリアの各サブキャリアの振幅および位相のシーケンスを生成するために、高速フーリエ変換（ＦＦＴ）プロセッサを使用して前記サンプルのセットを処理することと、
前記モバイルデバイスにおいて、前記複数のサブキャリアの各サブキャリアについての１つまたは複数の相関積を取得するために、振幅および位相の前記シーケンスに対して相関演算を実行することと、
前記モバイルデバイスにおいて、前記複数のサブキャリアの各サブキャリアについての前記１つまたは複数の相関積の平均を決定することと、
前記モバイルデバイスにおいて、前記複数のサブキャリアの各サブキャリアについての前記１つまたは複数の相関積の前記平均に基づいて、周波数領域ベクトルを取得することと、
前記モバイルデバイスにおいて、前記周波数領域ベクトルに基づいて、時間領域信号のシーケンスを再構築することと
をさらに備え、
ここにおいて、前記無線信号のシーケンスがポジション測定信号ビットストリームを表すかどうかを決定するために、前記リソースブロックの前記複数のサブキャリアの各々を使用して前記無線信号のシーケンスを処理することは、前記無線信号のシーケンスがポジション測定信号ビットストリームを表すかどうかを決定するために、前記時間領域信号のシーケンスを使用することを備える、請求項８に記載の方法。
【請求項１６】
ワイヤレス通信ネットワークにおいてポジション測定信号を提供するための基地局であって、前記基地局は、
メモリと、
ワイヤレス通信インターフェースと、
前記メモリおよび前記ワイヤレス通信インターフェースに結合された１つまたは複数の処理ユニットと
を備え、ここにおいて、前記１つまたは複数の処理ユニットは、
ダウンリンク送信のための複数のサブキャリアを決定すること、ここにおいて、前記ダウンリンク送信のための複数のサブキャリアは、スケジュールされた送信機会内のスケジュールされた送信時間のリソースブロックにおいて示される全てのサブキャリアを備え、ここにおいて、前記リソースブロックは、複数のシンボル期間を備え、ここにおいて、前記複数のシンボル期間の各シンボル期間は、前記複数のサブキャリアのうちの１つまたは複数のサブキャリアを使用するシンボルの送信のためのものである、と、
前記スケジュールされた送信時間において、かつ、前記複数のサブキャリアの各サブキャリアを使用して、前記スケジュールされた送信機会においてワイヤレスポジション測定信号を送信すること、前記ワイヤレスポジション測定信号は、ポジション測定信号ビットストリームを表すワイヤレス信号のシーケンスの一部である、と
を行うように構成され、
ここにおいて、前記ワイヤレスポジション測定信号は、前記複数のシンボル期間のうちの１つまたは複数のシンボル期間において送信される１つまたは複数のシンボルを備え、
ここにおいて、前記ワイヤレスポジション測定信号の前記スケジュールされた送信機会のタイミングは、それが、前記タイミングに基づいてポジション測定が行われることを可能にするようなものである、基地局。
【請求項１７】
前記ワイヤレスポジション測定信号は、複数のシンボルを備え、前記複数のシンボルの各シンボルは、前記複数のシンボル期間の各シンボル期間において送信されており、
前記複数のシンボルの各シンボルは、前記複数のサブキャリアの各サブキャリアが、前記複数のシンボルを備える前記ワイヤレスポジション測定信号の前記送信のために少なくとも１回使用されるように、前記複数のサブキャリアのうちの少なくとも１つのサブキャリアを使用して送信される、請求項１６に記載の基地局。
【請求項１８】
前記複数のサブキャリアのうちの少なくとも２つのサブキャリアが、異なる数のシンボルの送信のために使用される、請求項１７に記載の基地局。
【請求項１９】
前記１つまたは複数のシンボルの各シンボルは、前記複数のサブキャリアの各サブキャリアが、同じ数のシンボルの送信のために使用されるように、前記複数のサブキャリアのうちの１つより多くのサブキャリアを使用して送信される、請求項１６に記載の基地局。
【請求項２０】
前記１つまたは複数のシンボルは、２つのシンボルを備え、
前記２つのシンボルは、前記複数のサブキャリアのうちの、２つの異なるセットのサブキャリアを使用して送信される、請求項１９に記載の基地局。
【請求項２１】
前記１つまたは複数のシンボルの各シンボルは、前記複数のサブキャリアを使用して送信される、請求項１９に記載の基地局。
【請求項２２】
前記リソースブロックは、物理リソースブロック（ＰＲＢ）を含み、
前記複数のシンボル期間の各シンボル期間と、前記複数のサブキャリアの各サブキャリアとのペアリングは、前記ＰＲＢのリソース要素（ＲＥ）を形成する、請求項１６に記載の基地局。
【請求項２３】
ポジション測定を実行するためのモバイルデバイスであって、前記モバイルデバイスは、
メモリと、
ワイヤレス通信インターフェースと、
前記メモリおよび前記ワイヤレス通信インターフェースに結合された１つまたは複数の処理ユニットと
を備え、ここにおいて、前記１つまたは複数の処理ユニットは、
スケジュールされた送信機会内のスケジュールされた時間において、無線信号のシーケンスを受信することと、
前記無線信号のシーケンスを処理するための複数のサブキャリアを決定すること、ここにおいて、前記複数のサブキャリアは、前記スケジュールされた時間のリソースブロックにおいて示される全てのサブキャリアを備え、ここにおいて、前記リソースブロックは、複数のシンボル期間を備え、ここにおいて、前記複数のシンボル期間の各シンボル期間は、前記複数のサブキャリアのうちの１つまたは複数のサブキャリアを使用するシンボルの送信のためのものである、と、
前記無線信号のシーケンスがポジション測定信号ビットストリームを表すかどうかを決定するために、前記リソースブロックの前記複数のサブキャリアの各々を使用して前記無線信号のシーケンスを処理することと、
前記無線信号のシーケンスがポジション測定信号ビットストリームを表すと決定することに応答して：
前記処理することの結果に基づいて、前記ポジション測定信号ビットストリームを受信した時間を決定することと、
前記ポジション測定信号ビットストリームを前記受信した時間に基づいて、ポジション測定を実行することと
を行うように構成される、モバイルデバイス。
【請求項２４】
前記無線信号のシーケンスは、複数のシンボルを表し、前記複数のシンボルの各シンボルは、前記複数のシンボル期間の各シンボル期間において送信されており、
前記複数のシンボルの各シンボルは、前記複数のサブキャリアの各サブキャリアが、前記複数のシンボルの前記送信のために少なくとも１回使用されるように、前記複数のサブキャリアのうちの少なくとも１つのサブキャリアを使用して送信される、請求項２３に記載のモバイルデバイス。
【請求項２５】
前記複数のサブキャリアのうちの少なくとも２つのサブキャリアが、異なる数のシンボルの送信のために使用される、請求項２３に記載のモバイルデバイス。
【請求項２６】
前記無線信号のシーケンスは、１つまたは複数のシンボルを備え、
前記１つまたは複数のシンボルの各シンボルは、前記複数のサブキャリアの各サブキャリアが、同じ数のシンボルの送信のために使用されるように、前記複数のサブキャリアのうちの１つより多くのサブキャリアを使用して送信される、請求項２３に記載のモバイルデバイス。
【請求項２７】
前記１つまたは複数のシンボルは、２つのシンボルを備え、
前記２つのシンボルは、前記複数のサブキャリアのうちの、２つの異なるセットのサブキャリアを使用して送信される、請求項２６に記載のモバイルデバイス。
【請求項２８】
前記１つまたは複数のシンボルの各シンボルは、前記複数のサブキャリアを使用して送信される、請求項２６に記載のモバイルデバイス。
【請求項２９】
前記リソースブロックは、物理リソースブロック（ＰＲＢ）を含み、
前記複数のシンボル期間の各シンボル期間と、前記複数のサブキャリアの各サブキャリアとのペアリングは、前記ＰＲＢのリソース要素（ＲＥ）を形成する、請求項２３に記載のモバイルデバイス。
【請求項３０】
前記１つまたは複数の処理ユニットは、
前記無線信号のシーケンスのサンプルのセットを生成すること、前記サンプルのセットの各サンプルは、タイムスタンプに関連付けられている、と、
前記複数のサブキャリアの各サブキャリアの振幅および位相のシーケンスを生成するために、高速フーリエ変換（ＦＦＴ）プロセッサを使用して前記サンプルのセットを処理することと、
前記複数のサブキャリアの各サブキャリアについての１つまたは複数の相関積を取得するために、振幅および位相の前記シーケンスに対して相関演算を実行することと、
前記複数のサブキャリアの各サブキャリアについての前記１つまたは複数の相関積の平均を決定することと、
前記複数のサブキャリアの各サブキャリアについての前記１つまたは複数の相関積の前記平均に基づいて、周波数領域ベクトルを取得することと、
前記周波数領域ベクトルに基づいて、時間領域信号のシーケンスを再構築することと
を行うように構成され、
ここにおいて、前記無線信号のシーケンスがポジション測定信号ビットストリームを表すかどうかを決定するために、前記リソースブロックの前記複数のサブキャリアの各々を使用して前記無線信号のシーケンスを処理することは、前記１つまたは複数の処理ユニットが、前記無線信号のシーケンスがポジション測定信号ビットストリームを表すかどうかを決定するために、前記時間領域信号のシーケンスを使用するように構成されていることを備える、請求項２３に記載のモバイルデバイス。
【発明の詳細な説明】
【背景技術】
【０００１】
１．分野
[0001]本明細書で開示される主題は、電子デバイスに関し、より詳細には、第５世代（５Ｇ）ワイヤレスネットワークを使用してモバイルデバイスのロケーション決定をサポートするために使用するための方法および装置に関する。
【０００２】
２．情報
[0002]ワイヤレスネットワークにアクセスしているモバイルデバイスのロケーションまたはポジションを取得することは、例えば、緊急呼出し、パーソナルナビゲーション、資産管理、友人または家族の一員を位置特定することなどを含む、多くのアプリケーションに有用であり得る。既存の測位方法は、多元接続ワイヤレスネットワークにおいて、例えば、衛星ビークル（ＳＶ）、地上無線ソース（例えば、基地局）などを含む様々なデバイスから受信される無線信号のタイミングを測定することに基づく方法を含む。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワークなどを含む。ＦＤＭＡネットワークは、例えば、直交ＦＤＭＡ（ＯＦＤＭＡ）ネットワーク、シングルキャリアＦＤＭＡ（ＳＣ−ＦＤＭＡ）ネットワークなどを含み得る。
【０００３】
[0003]ＦＤＭＡワイヤレスネットワークでは、無線信号は、異なる周波数帯域の複数のサブキャリアを使用して送信され得る。基地局は、無線信号の送信を実行するために、利用可能なワイヤレスリソースとして複数のサブキャリアを割り振られ得る。現在の技術では、基地局は、ポジション測定無線信号を送信するために、割り振られたサブキャリアの全てではないが、一部を使用し得る。
【０００４】
[0004]新しい第５世代（５Ｇ）ワイヤレスネットワークのための標準化は、新しいものと既存のものとの両方の様々な測位方法のためのサポートを含むことが予期されるが、ポジション測定信号の誤検出および不正確なタイミング測定値をもたらし得る、ポジション測定信号の送信の現在の方法に関する問題が生じ得る。本明細書で開示される実施形態は、５Ｇワイヤレスネットワークにおいてポジション測定信号を検出する精度を改善する技法をインプリメントすることによって、これらの問題に対処する。
【発明の概要】
【０００５】
[0005]いくつかの例によれば、ワイヤレス通信ネットワークにおいてポジション測定信号を提供するための基地局が提供される。基地局は、メモリと、ワイヤレス通信インターフェースと、メモリおよびワイヤレス通信インターフェースに結合された１つまたは複数の処理ユニットとを備える。１つまたは複数の処理ユニットは、ダウンリンク送信のための複数のサブキャリアを決定すること、ここにおいて、ダウンリンク送信のための複数のサブキャリアは、スケジュールされた送信機会内のスケジュールされた送信時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである、と、スケジュールされた送信時間において、かつ、複数のサブキャリアの各サブキャリアを使用して、スケジュールされた送信機会においてワイヤレスポジション測定信号を送信すること、ワイヤレスポジション測定信号は、ポジション測定信号ビットストリームを表すワイヤレス信号のシーケンスの一部である、と、を行うように構成される。ワイヤレスポジション測定信号は、複数のシンボル期間のうちの１つまたは複数のシンボル期間において送信される１つまたは複数のシンボルを備える。ワイヤレスポジション測定信号のスケジュールされた送信機会のタイミングは、それが、そのタイミングに基づいてポジション測定が行われることを可能にするようなものである。
【０００６】
[0006]いくつかの態様では、ワイヤレスポジション測定信号は、複数のシンボルを備え、複数のシンボルの各シンボルは、複数のシンボル期間の各シンボル期間において送信されている。複数のシンボルの各シンボルは、複数のサブキャリアの各サブキャリアが、複数のシンボルを備えるワイヤレスポジション測定信号の送信のために少なくとも１回使用されるように、複数のサブキャリアのうちの少なくとも１つのサブキャリアを使用して送信される。
【０００７】
[0007]いくつかの態様では、複数のサブキャリアのうちの少なくとも２つのサブキャリアが、異なる数のシンボルの送信のために使用される。いくつかの態様では、ワイヤレスポジション測定信号は、１つまたは複数のシンボルを備える。１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、２つのシンボルを備える。２つのシンボルは、複数のサブキャリアのうちの、２つの異なるセットのサブキャリアを使用して送信される。いくつかの態様では、１つまたは複数のシンボルの各シンボルは、複数のサブキャリアを使用して送信される。
【０００８】
[0008]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【０００９】
[0009]いくつかの例によれば、ポジション測定を実行するためのモバイルデバイスが提供される。モバイルデバイスは、メモリと、ワイヤレス通信インターフェースと、メモリおよびワイヤレス通信インターフェースに結合された１つまたは複数の処理ユニットとを備え、ここにおいて、１つまたは複数の処理ユニットは、スケジュールされた送信機会内のスケジュールされた時間において、無線信号のシーケンスを受信することと、無線信号のシーケンスを処理するための複数のサブキャリアを決定すること、ここにおいて、複数のサブキャリアは、スケジュールされた時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである、と、無線信号のシーケンスがポジション測定信号ビットストリームを表すかどうかを決定するために、リソースブロックの複数のサブキャリアの各々を使用して無線信号のシーケンスを処理することと、無線信号のシーケンスがポジション測定信号ビットストリームを表すと決定することに応答して：処理することの結果に基づいて、ポジション測定信号ビットストリームを受信した時間を決定することと、ポジション測定信号ビットストリームを受信した時間に基づいて、ポジション測定を実行することと、を行うように構成される。
【００１０】
[0010]いくつかの態様では、無線信号のシーケンスは、複数のシンボルを表し、複数のシンボルの各シンボルは、複数のシンボル期間の各シンボル期間において送信されている。複数のシンボルの各シンボルは、複数のサブキャリアの各サブキャリアが、複数のシンボルの送信のために少なくとも１回使用されるように、複数のサブキャリアのうちの少なくとも１つのサブキャリアを使用して送信される。いくつかの態様では、複数のサブキャリアのうちの少なくとも２つのサブキャリアが、異なる数のシンボルの送信のために使用される。いくつかの態様では、無線信号のシーケンスは、１つまたは複数のシンボルを備える。１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、２つのシンボルを備える。２つのシンボルは、複数のサブキャリアのうちの、２つの異なるセットのサブキャリアを使用して送信される。いくつかの態様では、１つまたは複数のシンボルの各シンボルは、複数のサブキャリアを使用して送信される。
【００１１】
[0011]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【００１２】
[0012]いくつかの態様では、モバイルデバイスの１つまたは複数の処理ユニットは、無線信号のシーケンスのサンプルのセットを生成すること、サンプルのセットの各サンプルは、タイムスタンプに関連付けられている、と、複数のサブキャリアの各サブキャリアの振幅および位相のシーケンスを生成するために、高速フーリエ変換（ＦＦＴ）プロセッサを使用してサンプルのセットを処理することと、複数のサブキャリアの各サブキャリアについての１つまたは複数の相関積を取得するために、振幅および位相のシーケンスに対して相関演算を実行することと、複数のサブキャリアの各サブキャリアについての１つまたは複数の相関積の平均を決定することと、複数のサブキャリアの各サブキャリアについての１つまたは複数の相関積の平均に基づいて、周波数領域ベクトルを取得することと、周波数領域ベクトルに基づいて、時間領域信号のシーケンスを再構築することと、を行うように構成される。無線信号のシーケンスがポジション測定信号ビットストリームを表すかどうかを決定するために、リソースブロックの複数のサブキャリアの各々を使用して無線信号のシーケンスを処理することは、１つまたは複数の処理ユニットが、無線信号のシーケンスがポジション測定信号ビットストリームを表すかどうかを決定するために、時間領域信号のシーケンスを使用するように構成されていることを備える。
【００１３】
[0013]いくつかの例によれば、ワイヤレス通信ネットワークにおいてポジション測定信号を提供するための、基地局上での方法が提供される。方法は、基地局において、ダウンリンク送信のための複数のサブキャリアを決定すること、ここにおいて、ダウンリンク送信のための複数のサブキャリアは、スケジュールされた送信機会内のスケジュールされた送信時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである、と、基地局から、スケジュールされた送信時間において、かつ、複数のサブキャリアの各サブキャリアを使用して、スケジュールされた送信機会においてワイヤレスポジション測定信号を送信すること、ワイヤレスポジション測定信号は、ポジション測定信号ビットストリームを表すワイヤレス信号のシーケンスの一部である、と、を備える。ワイヤレスポジション測定信号は、複数のシンボル期間のうちの１つまたは複数のシンボル期間において送信される１つまたは複数のシンボルを備える。ワイヤレスポジション測定信号のスケジュールされた送信機会のタイミングは、それが、そのタイミングに基づいてポジション測定が行われることを可能にするようなものである。
【００１４】
[0014]いくつかの態様では、ワイヤレスポジション測定信号は、複数のシンボルを備え、複数のシンボルの各シンボルは、複数のシンボル期間の各シンボル期間において送信されている。複数のシンボルの各シンボルは、複数のサブキャリアの各サブキャリアが、複数のシンボルを備えるワイヤレスポジション測定信号の送信のために少なくとも１回使用されるように、複数のサブキャリアのうちの少なくとも１つのサブキャリアを使用して送信される。いくつかの態様では、複数のサブキャリアのうちの少なくとも２つのサブキャリアが、異なる数のシンボルの送信のために使用される。いくつかの態様では、ワイヤレスポジション測定信号は、１つまたは複数のシンボルを備える。１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、２つのシンボルを備える。２つのシンボルは、複数のサブキャリアのうちの、２つの異なるセットのサブキャリアを使用して送信される。いくつかの態様では、１つまたは複数のシンボルの各シンボルは、複数のサブキャリアを使用して送信される。
【００１５】
[0015]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【００１６】
[0016]いくつかの例によれば、ポジション測定を実行するための、モバイルデバイス上での方法が提供される。方法は、モバイルデバイスにおいて、スケジュールされた送信機会内のスケジュールされた時間において、無線信号のシーケンスを受信することと、モバイルデバイス上で、無線信号のシーケンスを処理するための複数のサブキャリアを決定すること、ここにおいて、複数のサブキャリアは、スケジュールされた時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである、と、モバイルデバイス上で、無線信号のシーケンスがポジション測定信号ビットストリームを表すかどうかを決定するために、リソースブロックの複数のサブキャリアの各々を使用して無線信号のシーケンスを処理することと、無線信号のシーケンスがポジション測定信号ビットストリームを表すと決定することに応答して：モバイルデバイス上で、処理することの結果に基づいて、ポジション測定信号ビットストリームを受信した時間を決定することと、モバイルデバイスにおいて、ポジション測定信号ビットストリームを受信した時間に基づいて、ポジション測定を実行することと、を備える。
【００１７】
[0017]いくつかの態様では、無線信号のシーケンスは、複数のシンボルを表し、複数のシンボルの各シンボルは、複数のシンボル期間の各シンボル期間において送信されている。複数のシンボルの各シンボルは、複数のサブキャリアの各サブキャリアが、複数のシンボルの送信のために少なくとも１回使用されるように、複数のサブキャリアのうちの少なくとも１つのサブキャリアを使用して送信される。いくつかの態様では、複数のサブキャリアのうちの少なくとも２つのサブキャリアが、異なる数のシンボルの送信のために使用される。いくつかの態様では、無線信号のシーケンスは、１つまたは複数のシンボルを備える。１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、２つのシンボルを備える。２つのシンボルは、複数のサブキャリアのうちの、２つの異なるセットのサブキャリアを使用して送信される。１つまたは複数のシンボルの各シンボルは、複数のサブキャリアを使用して送信される。
【００１８】
[0018]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【００１９】
[0019]いくつかの態様では、方法は、モバイルデバイスにおいて、無線信号のシーケンスのサンプルのセットを生成すること、サンプルのセットの各サンプルは、タイムスタンプに関連付けられている、と、モバイルデバイスにおいて、複数のサブキャリアの各サブキャリアの振幅および位相のシーケンスを生成するために、高速フーリエ変換（ＦＦＴ）プロセッサを使用してサンプルのセットを処理することと、モバイルデバイスにおいて、複数のサブキャリアの各サブキャリアについての１つまたは複数の相関積を取得するために、振幅および位相のシーケンスに対して相関演算を実行することと、モバイルデバイスにおいて、複数のサブキャリアの各サブキャリアについての１つまたは複数の相関積の平均を決定することと、モバイルデバイスにおいて、複数のサブキャリアの各サブキャリアについての１つまたは複数の相関積の平均に基づいて、周波数領域ベクトルを取得することと、モバイルデバイスにおいて、周波数領域ベクトルに基づいて、時間領域信号のシーケンスを再構築することと、をさらに備える。無線信号のシーケンスがポジション測定信号ビットストリームを表すかどうかを決定するために、リソースブロックの複数のサブキャリアの各々を使用して無線信号のシーケンスを処理することは、無線信号のシーケンスがポジション測定信号ビットストリームを表すかどうかを決定するために、時間領域信号のシーケンスを使用することを備える。
【００２０】
[0020]いくつかの例では、非一時的なコンピュータ可読媒体が提供される。非一時的なコンピュータ可読媒体は、ハードウェアプロセッサによって実行されると、ハードウェアプロセッサに、前述の方法を実行させる命令を備える。
【００２１】
[0021]いくつかの例では、装置が提供される。装置は、前述の方法を実行するための手段を備える。
【図面の簡単な説明】
【００２２】
[0022]非限定的かつ非網羅的な態様が、以下の図を参照して説明される。
【図１】[0023]図１は、ある実施形態による、ＵＥのポジションを決定するために５Ｇネットワークを利用し得る通信システムの図である。
【図２Ａ】[0024]図２Ａは、いくつかの実施形態による、ポジション測定のための信号構造を表す。
【図２Ｂ】[0024]図２Ｂは、いくつかの実施形態による、ポジション測定のための信号構造を表す。
【図２Ｃ】[0024]図２Ｃは、いくつかの実施形態による、ポジション測定のための信号構造を表す。
【図２Ｄ】[0024]図２Ｄは、いくつかの実施形態による、ポジション測定のための信号構造を表す。
【図２Ｅ】[0024]図２Ｅは、いくつかの実施形態による、ポジション測定のための信号構造を表す。
【図２Ｆ】[0024]図２Ｆは、いくつかの実施形態による、ポジション測定のための信号構造を表す。
【図３Ａ】[0025]図３Ａは、いくつかの実施形態による、ワイヤレスポジション測定信号のためのリソース要素マッピングパターンを表す。
【図３Ｂ】[0025]図３Ｂは、いくつかの実施形態による、ワイヤレスポジション測定信号のためのリソース要素マッピングパターンを表す。
【図３Ｃ】[0025]図３Ｃは、いくつかの実施形態による、ワイヤレスポジション測定信号のためのリソース要素マッピングパターンを表す。
【図３Ｄ】[0025]図３Ｄは、いくつかの実施形態による、ワイヤレスポジション測定信号のためのリソース要素マッピングパターンを表す。
【図３Ｅ】[0025]図３Ｅは、いくつかの実施形態による、ワイヤレスポジション測定信号のためのリソース要素マッピングパターンを表す。
【図４Ａ】[0025]図４Ａは、いくつかの実施形態による、ワイヤレスポジション測定信号のためのリソース要素マッピングパターンを表す。
【図４Ｂ】[0025]図４Ｂは、いくつかの実施形態による、ワイヤレスポジション測定信号のためのリソース要素マッピングパターンを表す。
【図４Ｃ】[0025]図４Ｃは、いくつかの実施形態による、ワイヤレスポジション測定信号のためのリソース要素マッピングパターンを表す。
【図５Ａ】[0025]図５Ａは、いくつかの実施形態による、ワイヤレスポジション測定信号のためのリソース要素マッピングパターンを表す。
【図５Ｂ】[0025]図５Ｂは、いくつかの実施形態による、ワイヤレスポジション測定信号のためのリソース要素マッピングパターンを表す。
【図５Ｃ】[0025]図５Ｃは、いくつかの実施形態による、ワイヤレスポジション測定信号のためのリソース要素マッピングパターンを表す。
【図５Ｄ】[0025]図５Ｄは、いくつかの実施形態による、ワイヤレスポジション測定信号のためのリソース要素マッピングパターンを表す。
【図６】[0026]図６は、ある実施形態による、第１の基地局においてＵＥを位置特定する方法を例示するフロー図である。
【図７】[0027]図７は、ある実施形態による、ＵＥにおいてＵＥを位置特定する方法を例示するフロー図である。
【図８】[0028]図８は、ＵＥの実施形態である。
【図９】[0029]図９は、コンピュータシステムの実施形態である。
【図１０】[0030]図１０は、基地局の実施形態である。
【００２３】
[0031]ある特定の例となるインプリメンテーションに従って、様々な図面における同様の参照番号および記号は、同様の要素を示す。加えて、要素の複数のインスタンスは、要素についての第１の番号の後に、ハイフンと第２の番号を続けることによって示され得る。例えば、要素１１０の複数のインスタンスは、１１０−１、１１０−２、１１０−３などとして示され得る。第１の番号のみを使用してこのような要素を参照するとき、要素のいずれのインスタンスも理解されるべきである（例えば、先の例における要素１１０は、要素１１０−１、１１０−２、および１１０−３を参照することになる）。
【詳細な説明】
【００２４】
[0032]ユーザ機器（ＵＥ）のロケーションを決定するためのいくつかの例となる技法が本明細書で提示され、これは、ＵＥ（例えば、モバイルデバイスまたは移動局）、ロケーションサーバ（ＬＳ）、基地局、および／または他のデバイスにおいてインプリメントされ得る。これらの技法は、第３世代パートナーシッププロジェクト（３ＧＰＰ（登録商標））、オープンモバイルアライアンス（ＯＭＡ）、ロングタームエボリューション（ＬＴＥ（登録商標））、測位プロトコル（ＬＰＰ）および／またはＬＰＰ拡張（ＬＰＰｅ）、Ｗｉ−Ｆｉ（登録商標）、全地球航法衛星システム（ＧＮＳＳ）、ならびに同様のものを含む、様々な技術および／または規格を利用して、様々なアプリケーションにおいて利用され得る。
【００２５】
[0033]ＵＥは、例えば、モバイルフォン、スマートフォン、タブレットまたは他のモバイルコンピュータ、ポータブルゲームデバイス、パーソナルメディアプレーヤ、パーソナルナビゲーションデバイス、ウェアラブルデバイス、車載デバイス、あるいは他の電子デバイスなどの、モバイルデバイスを備え得る。ＵＥのポジション決定は、多種多様なシナリオにおいてＵＥおよび／または他のエンティティに有用であり得る。ＵＥの推定されたポジションを決定するための多くの既知の方法が存在し、ＵＥとＬＳとの間で測定値および／または他の情報を通信することを伴う方法を含む。
【００２６】
[0034]第５世代（５Ｇ）標準化は、ＬＴＥネットワークにおいて使用される観測到着時間差（ＯＴＤＯＡ：Observed Time Difference Of Arrival）に基づくまたはそれと類似の測位方法のためのサポートを含むことが予期される。ＯＴＤＯＡでは、ＵＥは、基地局の１つまたは複数のペアによって送信された基準信号間の、基準信号時間差（ＲＳＴＤ：Reference Signal Time Differences）と呼ばれる時間差を測定する。基準信号は、測位基準信号（ＰＲＳ）と呼ばれ得るナビゲーションおよび測位のみを対象とする信号であり得、またはセル固有基準信号（ＣＲＳ）、追跡基準信号（ＴＲＳ）、チャネル状態情報基準信号（ＣＳＩ−ＲＳ）、プライマリおよびセカンダリ同期シーケンス（ＰＳＳ／ＳＳＳ）、もしくは物理ブロードキャストチャネル（ＰＢＣＨ）信号と呼ばれ得るサービングセルタイミングおよび周波数捕捉もまた対象とする信号であり得る。ＵＥが基地局の２つ以上の異なるペア（または少なくとも３つのセル）間の２つ以上のＲＳＴＤを測定することが可能である場合。ネイバー基地局の各ペアは、典型的に、共通の基準基地局を含む。水平のＵＥロケーションは、基地局の相対タイミングおよびアンテナロケーションが既知である場合に取得され得る。
【００２７】
[0035]現在、ＦＤＭＡワイヤレスネットワーク（例えば、直交ＦＤＭＡ（ＯＦＤＭＡ）ネットワーク、シングルキャリアＦＤＭＡ（ＳＣ−ＦＤＭＡ）ネットワークなど）では、データは、異なる周波数帯域の複数のサブキャリアを使用して符号化および送信され得る。例えば、前述の基準および／または同期信号は、シンボルの時系列によって表され得る。基地局は、各シンボルのためのシンボル期間内のいくつかのサブキャリアを変調することによって、各シンボルを送信し得る。モバイルデバイスは、変調されたサブキャリアを含む無線信号を受信し、シンボルを取得するために復調を実行し、シンボルに基づいて基準信号を再構築し得る。移動局は、再構築された基準信号のピークを検出するためのピーク検出器を含み得、基準信号の受信／検出の時間を表すために、検出されたピークに対応する信号時間を決定し得る。異なる基地局からの基準信号の受信／検出の時間における差に基づいて、モバイルデバイスは、ＲＳＴＤを決定し得る。
【００２８】
[0036]基地局は、無線信号の送信を実行するために、スケジュールされた時間において、利用可能なワイヤレスリソースとしてサブキャリアのセットを割り振られ得る。無線信号の送信を実行するために利用可能なサブキャリアのセットに関する情報は、リソースブロックにおいて示され得る。現在の技術では、基地局は、前述の基準信号および／または同期信号のシンボルを送信するために、割り振られたサブキャリアの（全てではないが）一部を使用し得る。このような配置（arrangements）は、基準信号の再構築に不正確さをもたらし得、その結果（which in turn）、信号時間の決定に影響を及ぼす。例えば、送信において使用されないサブキャリアに対応する周波数ホール（frequency holes）が、ＵＥにおいて受信される基準信号の周波数スペクトルにもたらされ得る。エイリアシング（aliasing）により、周波数ホールは、再構築された基準信号において偽のピーク（false peaks）をもたらし得る。偽のピークは、実際の基準信号ピークとして、ピーク検出器によって誤って検出され得る。偽のピークが実際の基準信号ピークとは異なる信号時間に発生すると仮定すると、誤った検出は、基準信号ピークに対応する信号時間の不正確な決定、ならびに基準信号の受信／検出の時間の不正確な決定をもたらし得る。結果として、ＲＳＴＤおよびロケーション決定の精度は劣化し得る。
【００２９】
[0037]本明細書で以下に説明される技法は、５Ｇネットワークにおける測位方法を改善するために、これらの問題に対処し得る。具体的には、基地局は、ダウンリンク送信のためのリソースブロックにおけるサブキャリアのセットを割り振られ得、基地局は、スケジュールされた送信期間においてポジション測定信号を送信するために、サブキャリアのセットの各サブキャリアを使用するように構成され得る。各サブキャリアは、ポジション基準信号（または他の基準信号）が、ＬＴＥネットワークにおいてＲＳＴＤ測定のために使用されるやり方と同様の方法で、時間差測定のために使用され得るポジション測定信号を表すシンボルを形成するように変調され得る。モバイルデバイスは、変調されたサブキャリアを含む無線信号を受信し、シンボルを取得するために復調を実行し、シンボルに基づいてポジション測定信号を再構築し得る。サブキャリアのセットの各サブキャリアが、ポジション測定信号の送信において使用されるので、ポジション測定信号における周波数ホールの存在は回避され得る。エイリアシングおよび偽のピークの生成の問題、ならびに偽のピークによるタイミング決定の不正確さが、同様に軽減され得る。
【００３０】
[0038]開示される技法の例はまた、モバイルデバイスにおけるポジション測定信号の検出をさらに簡略化するために、周波数領域、時間領域、または両方において均一であるポジション測定信号構造を提案する。いくつかの例では、基地局は、同じ数のシンボルについての情報を搬送するように各サブキャリアを変調するように構成され得る。このような配置では、ポジション測定信号構造は、例えば、各サブキャリアについて均一なポジション測定信号強度を有することにより、周波数領域において均一になり得、これは、各サブキャリアの均一な処理方法を可能にする。例えば、各サブキャリアについての相関処理結果から、ポジション測定信号の周波数成分を生成するために、同じ数のシンボルの情報が抽出および処理され得、これは、受信機のインプリメンテーションの複雑さを低減させ得る。
【００３１】
[0039]いくつかの例では、基地局はまた、各シンボルについてサブキャリアの同じセットを変調するように構成され得る。このような配置では、ポジション測定信号構造は、例えば、サブキャリアの同じセットが、シンボルを送信するために、各シンボル期間において変調されていることにより、時間領域において均一になり得、これもまた、各シンボルについての均一な処理方法を可能にする。例えば、各シンボルを抽出するために、相関演算が、シンボルが送信されるときに、各シンボル期間においてサブキャリアの同じセットに対して実行され得、これは、受信機のインプリメンテーションの複雑さをさらに低減させ得る。
【００３２】
１．例となる通信システム
[0040]図１は、ある実施形態による、ＯＴＤＯＡベースの測位方法を使用して、ＵＥ１０５のポジションを決定するために５Ｇネットワークを利用し得る通信システム１００の図である。ここで、通信システム１００は、ＵＥ１０５と、次世代（ＮＧ）無線アクセスネットワーク（ＲＡＮ）（ＮＧ−ＲＡＮ）１３５および５Ｇコアネットワーク（５ＧＣ）１４０を備える５Ｇネットワークとを備え、これは、ＯＴＤＯＡベースの測位を提供すると共に、ＵＥ１０５にデータおよび音声通信を提供し得る。５Ｇネットワークは、新無線（ＮＲ：New Radio）ネットワークとも呼ばれ得、ＮＧ−ＲＡＮ１３５は、５Ｇ  ＲＡＮまたはＮＲ  ＲＡＮと呼ばれ得、５ＧＣ１４０は、ＮＧコアネットワーク（ＮＧＣ）と呼ばれ得る。ＮＧ−ＲＡＮと５ＧＣの標準化は、３ＧＰＰにおいて進行中である。したがって、ＮＧ−ＲＡＮ１３５および５ＧＣ１４０は、３ＧＰＰからの５Ｇサポートについての現行または将来の規格に準拠し得る。通信システム１００は、ＧＮＳＳ衛星ビークル（ＳＶ）１９０からの情報をさらに利用し得る。通信システム１００の追加の構成要素が、以下で説明される。通信システム１００は、追加または代替の構成要素を含み得ることが理解されるであろう。
【００３３】
[0041]図１は、様々な構成要素の一般化された例示のみを提供しており、それらのいずれかまたは全てが適宜に利用され得、その各々は、必要に応じて複製され得ることに留意されたい。具体的には、１つのＵＥ１０５のみが例示されているが、多くのＵＥ（例えば、数百個、数千個、数百万個など）が通信システム１００を利用し得ることが理解されるであろう。同様に、通信システム１００は、より多くの（またはより少ない）数のＳＶ１９０、ｇＮＢ１１０、ｎｇ−ｅＮＢ１１４、ＡＭＦ１１５、外部クライアント１３０、および／または他の構成要素を含み得る。通信システム１００において様々な構成要素を接続する例示された接続は、データおよびシグナリング接続を備え、これは、追加の（中間）構成要素、直接的または間接的な物理的および／またはワイヤレス接続、および／または追加のネットワークを含み得る。さらに、構成要素は、所望の機能に依存して、再配置され、組み合わされ、分離され、置き換えられ、および／または省略され得る。
【００３４】
[0042]ＵＥ１０５は、デバイス、モバイルデバイス、ワイヤレスデバイス、モバイル端末、端末、移動局（ＭＳ）、セキュアユーザプレーンロケーション（ＳＵＰＬ）対応端末（ＳＥＴ）として、または何らかの他の名称によって呼ばれ、および／またはそれらを備え得る。さらに、上述されたように、ＵＥ１０５は、携帯電話、スマートフォン、ラップトップ、タブレット、ＰＤＡ、追跡デバイス、ナビゲーションデバイス、モノのインターネット（ＩｏＴ）デバイス、または何らかの他のポータブルまたは移動可能デバイスを含む、様々なデバイスのうちの任意のものに対応し得る。必ずしもではないが、典型的に、ＵＥ１０５は、モバイル通信のためのグローバルシステム（ＧＳＭ（登録商標））、符号分割多元接続（ＣＤＭＡ）、広帯域ＣＤＭＡ（ＷＣＤＭＡ（登録商標））、ロングタームエボリューション（ＬＴＥ）、高速パケットデータ（ＨＲＰＤ）、ＩＥＥＥ８０２．１１ＷｉＦｉ（Ｗｉ−Ｆｉとも呼ばれる）、Ｂｌｕｅｔｏｏｔｈ（登録商標）（ＢＴ）、ＷｉＭＡＸ（Worldwide Interoperability for Microwave Access）、（例えば、ＮＧ−ＲＡＮ１３５および５ＧＣ１４０を使用する）５Ｇ新無線（ＮＲ）などを使用するような、１つまたは複数の無線アクセス技術（ＲＡＴ）を使用したワイヤレス通信をサポートし得る。ＵＥ１０５はまた、例えば、デジタル加入者回線（ＤＳＬ）またはパケットケーブルを使用して他のネットワーク（例えば、インターネット）に接続し得るワイヤレスローカルエリアネットワーク（ＷＬＡＮ）を使用したワイヤレス通信をサポートし得る。これらのＲＡＴのうちの１つまたは複数の使用は、ＵＥ１０５が、（例えば、図１には示されていない５ＧＣ１４０の要素を介して、または、場合によっては、ゲートウェイモバイルロケーションセンター（ＧＭＬＣ：Gateway Mobile Location Center）１２５を介して）外部クライアント１３０と通信することを可能にし、および／または、外部クライアント１３０が、（例えば、ＧＭＬＣ１２５を介して）ＵＥ１０５に関するロケーション情報を受信することを可能にし得る。
【００３５】
[0043]ＵＥ１０５は、ユーザが、オーディオ、ビデオ、および／またはデータＩ／Ｏデバイスおよび／またはボディセンサ、ならびに別個のワイヤラインまたはワイヤレスモデムを用い得るパーソナルエリアネットワークなどにおいて複数のエンティティを備え得るか、または単一のエンティティを備え得る。ＵＥ１０５のロケーションの推定値は、ロケーション、ロケーション推定値、ロケーションフィックス（location fix）、フィックス、ポジション、ポジション推定値、またはポジションフィックスと呼ばれ得、地理的であり得、したがって、高度成分（例えば、標高、地表面、床面、または地下面（basement level）からの高さまたは深さ）を含むことも含まないこともあり得る、ＵＥ１０５についてのロケーション座標（例えば、緯度および経度）を提供する。代替として、ＵＥ１０５のロケーションは、都市（civic）ロケーションとして（例えば、郵便宛先または特定の部屋もしくは階などの建物内のある点もしくは小さい面積（area）の指定として）表され得る。ＵＥ１０５のロケーションはまた、ＵＥ１０５が何らかの確率または信頼性レベル（例えば、６７％、９５％など）で位置特定されることが予期される（地理的にまたは都市形式のいずれかで定義される）面積または体積（area or volume）として表され得る。ＵＥ１０５のロケーションはさらに、例えば、地理的にか、都市の用語でか、または地図、間取り図、もしくは建物平面図上で示される、ある点、面積、または体積への参照によって定義され得る既知のロケーションにおけるある原点に対して相対的に定義される相対Ｘ、Ｙ（およびＺ）座標または距離および方向を備える、相対ロケーションであり得る。本明細書に含まれる説明では、ロケーションという用語の使用は、別途示されていない限り、これらの変形のうちの任意のものを備え得る。
【００３６】
[0044]ＮＧ−ＲＡＮ１３５における基地局は、ＮＲノードＢを備え得、これは、より典型的には、ｇＮＢと呼ばれる。図１には、ｇＮＢ１１０−１と、１１０−２と、１１０−３との３つのｇＮＢが示されており、これらは、本明細書では、集合的かつ総称的にｇＮＢ１１０と呼ばれる。しかしながら、典型的なＮＧ  ＲＡＮ１３５は、数ダース、数百、または数千ものｇＮＢ１１０を備え得る。ＮＧ−ＲＡＮ１３５におけるｇＮＢ１１０のペアは、互いに接続され得る（図１には図示せず）。５Ｇネットワークへのアクセスは、ＵＥ１０５と、５Ｇ（ＮＲとも呼ばれる）を使用しているＵＥ１０５に代わって５ＧＣ１４０へのワイヤレス通信アクセスを提供し得るｇＮＢ１１０のうちの１つまたは複数との間のワイヤレス通信を介して、ＵＥ１０５に提供される。図１では、ＵＥ１０５のためのサービングｇＮＢは、ｇＮＢ１１０−１であると仮定されるが、ＵＥ１０５が別のロケーションに移動した場合、他のｇＮＢ（例えば、ｇＮＢ１１０−２および／またはｇＮＢ１１０−３）が、サービングｇＮＢとして機能し得、あるいはＵＥ１０５に追加の帯域幅を提供するセカンダリｇＮＢとして機能し得る。
【００３７】
[0045]図１に示されるＮＧ−ＲＡＮ１３５における基地局（ＢＳ）はまた、あるいは代わりに、ｎｇ−ｅＮＢ１１４とも呼ばれる次世代発展型ノードＢを含み得る。ｎｇ−ｅＮＢ１１４は、例えば、直接的に、または他のｇＮＢ１１０および／または他のｎｇ−ｅＮＢを介して間接的に、ＮＧ−ＲＡＮ１３５における１つまたは複数のｇＮＢ１１０に接続され得る（図１には図示せず）。ｎｇ−ｅＮＢ１１４は、ＵＥ１０５にＬＴＥワイヤレスアクセスおよび／または発展型ＬＴＥ（ｅＬＴＥ）ワイヤレスアクセスを提供し得る。図１におけるいくつかのｇＮＢ１１０（例えば、ｇＮＢ１１０−２）および／またはｎｇ−ｅＮＢ１１４は、ＵＥ１０５からのまたは他のＵＥからの信号を受信できないが、ＵＥ１０５の測位を支援するために、支援データをブロードキャストし得、および／または、信号（例えば、本明細書で説明されるような測位測定信号）を送信し得る、測位専用ビーコンとして機能するように構成され得る。１つのｎｇ−ｅＮＢ１１４のみが図１に示されている一方で、以下の説明は、時として、複数のｎｇ−ｅＮＢ１１４の存在を仮定することに留意されたい。
【００３８】
[0046]述べられたように、図１が５Ｇ通信プロトコルに従って通信するように構成されたノードを図示する一方で、例えば、ＬＰＰプロトコルまたはＩＥＥＥ８０２．１１ｘプロトコルなどの、他の通信プロトコルに従って通信するように構成されたノードが使用され得る。例えば、ＵＥ１０５にＬＴＥワイヤレスアクセスを提供する発展型パケットシステム（ＥＰＳ）では、ＲＡＮは、発展型ユニバーサルモバイルテレコミュニケーションズシステム（ＵＭＴＳ）地上無線アクセスネットワーク（Ｅ−ＵＴＲＡＮ）を備え得、これは、ＬＴＥワイヤレスアクセスをサポートする発展型ノードＢ（ｅＮＢ）を備える基地局を備え得る。ＥＰＳのためのコアネットワークは、発展型パケットコア（ＥＰＣ）を備え得る。この場合、ＥＰＳは、Ｅ−ＵＴＲＡＮプラスＥＰＣを備え得、ここで、Ｅ−ＵＴＲＡＮは、ＮＧ−ＲＡＮ１３５に対応し、ＥＰＣは、図１の５ＧＣ１４０に対応する。ＵＥ１０５の測位のサポートのために、本明細書で説明される方法および技法は、このような他のネットワークに適用可能であり得る。
【００３９】
[0047]ｇＮＢ１１０およびｎｇ−ｅＮＢ１１４は、アクセスおよびモビリティ管理機能（ＡＭＦ）１１５と通信し得、これは、測位機能のために、ロケーション管理機能（ＬＭＦ）１２０と通信する。ＡＭＦ１１５は、セル変更およびハンドオーバを含む、ＵＥ１０５のモビリティをサポートし得、ＵＥ１０５へのシグナリング接続、および、場合によっては、ＵＥ１０５のためのデータおよび音声ベアラをサポートすることに参加し得る。ＬＭＦ１２０は、ＵＥ１０５がＮＧ−ＲＡＮ１３５にアクセスするとき、ＵＥ１０５の測位をサポートし得、支援型ＧＮＳＳ（Ａ−ＧＮＳＳ）、観測到着時間差（ＯＴＤＯＡ）、リアルタイムキネマティック（ＲＴＫ：Real Time Kinematics）、精密単独測位（ＰＰＰ：Precise Point Positioning）、ディファレンシャルＧＮＳＳ（ＤＧＮＳＳ：Differential GNSS）、拡張セルＩＤ（ＥＣＩＤ）、到来角（ＡＯＡ）、放射角（ＡＯＤ）、および／または他の測位方法などの、測位方法をサポートし得る。ＬＭＦ１２０はまた、例えば、ＡＭＦ１１５からまたはＧＭＬＣ１２５から受信される、ＵＥ１０５に関するロケーションサービス要求を処理し得る。ＬＭＦ１２０は、ＡＭＦ１１５および／またはＧＭＬＣ１２５に接続され得る。ＬＭＦ１２０は、ロケーションマネージャ（ＬＭ）、ロケーション機能（ＬＦ）、商用ＬＭＦ（ＣＬＭＦ：commercial LMF）、または付加価値ＬＭＦ（ＶＬＭＦ：value added LMF）などの他の名称で呼ばれ得る。いくつかの実施形態では、ＬＭＦ１２０をインプリメントするノード／システムは、追加または代替として、拡張型サービングモバイルロケーションセンター（Ｅ−ＳＭＬＣ）またはセキュアユーザプレーンロケーション（ＳＵＰＬ）ロケーションプラットフォーム（ＳＬＰ）などの、他のタイプの位置特定サポートモジュールをインプリメントし得る。いくつかの実施形態では、（ＵＥ１０５のロケーションの導出を含む）測位機能の少なくとも一部は、（例えば、ｇＮＢ１１０およびｎｇ−ｅＮＢ１１４などのワイヤレスノードによって送信された信号についての、ＵＥ１０５によって取得された信号測定値、および、例えば、ＬＭＦ１２０によって、ＵＥ１０５に提供される支援データを使用して）ＵＥ１０５において実行され得ることに留意されたい。
【００４０】
[0048]ゲートウェイモバイルロケーションセンター（ＧＭＬＣ）１２５は、外部クライアント１３０から受信されるＵＥ１０５に関するロケーション要求をサポートし得、ＡＭＦ１１５によるＬＭＦ１２０への転送（forwarding）のために、ＡＭＦ１１５にこのようなロケーション要求を転送し得、または直接ＬＭＦ１２０にロケーション要求を転送し得る。（例えば、ＵＥ１０５についてのロケーション推定値を含む）ＬＭＦ１２０からのロケーション応答が、直接的にまたはＡＭＦ１１５を介してのいずれかで、ＧＭＬＣ１２５に同様に返され得、その後、ＧＭＬＣ１２５は、外部クライアント１３０に（例えば、ロケーション推定値を含む）ロケーション応答を返し得る。ＧＭＬＣ１２５は、図１では、ＡＭＦ１１５とＬＭＦ１２０との両方に接続されて示されているが、いくつかのインプリメンテーションでは、これらの接続のうちの１つのみが、５ＧＣ１４０によってサポートされ得る。
【００４１】
[0049]図１にさらに例示されるように、ＬＭＦ１２０は、３ＧＰＰ技術仕様書（ＴＳ）３８．４５５において定義され得る新無線測位プロトコルＡ（これは、ＮＰＰａまたはＮＲＰＰａと呼ばれ得る）を使用して、ｇＮＢ１１０と、および／またはｎｇ−ｅＮＢ１１４と通信し得る。ＮＲＰＰａは、３ＧＰＰ  ＴＳ３６．４５５において定義されるＬＴＥ測位プロトコルＡ（ＬＰＰａ）と同じであるか、同様であるか、またはその拡張であり得るとともに、ＮＲＰＰａメッセージは、ＡＭＦ１１５を介して、ｇＮＢ１１０とＬＭＦ１２０との間で、および／またはｎｇ−ｅＮＢ１１４とＬＭＦ１２０との間で転送されている（being transferred）。図１にさらに例示されるように、ＬＭＦ１２０およびＵＥ１０５は、ＬＴＥ測位プロトコル（ＬＰＰ）を使用して通信し得、これは、３ＧＰＰ  ＴＳ３６．３５５において定義され得る。ＬＭＦ１２０およびＵＥ１０５はまた、あるいは代わりに、新無線測位プロトコル（これは、ＮＰＰまたはＮＲＰＰと呼ばれ得る）を使用して通信し得、これは、ＬＰＰと同じであるか、同様であるか、またはその拡張であり得る。ここで、ＬＰＰおよび／またはＮＰＰメッセージは、ＡＭＦ１１５と、ＵＥ１０５のためのサービングｇＮＢ１１０−１またはサービングｎｇ−ｅＮＢ１１４とを介して、ＵＥ１０５とＬＭＦ１２０との間で転送され得る。例えば、ＬＰＰおよび／またはＮＰＰメッセージは、５Ｇロケーションサービスアプリケーションプロトコル（ＬＣＳ  ＡＰ）を使用して、ＬＭＦ１２０とＡＭＦ１１５との間で転送され得、５Ｇ非アクセスストラタム（ＮＡＳ）プロトコルを使用して、ＡＭＦ１１５とＵＥ１０５との間で転送され得る。ＬＰＰおよび／またはＮＰＰプロトコルは、Ａ−ＧＮＳＳ、ＲＴＫ、ＯＴＤＯＡ、および／またはＥＣＩＤなどのＵＥ支援型および／またはＵＥベースの測位方法を使用して、ＵＥ１０５の測位をサポートするために使用され得る。ＮＲＰＰａプロトコルは、（例えば、ｇＮＢ１１０またはｎｇ−ｅＮＢ１１４によって取得される測定値とともに使用されるとき）ＥＣＩＤなどのネットワークベースの測位方法を使用して、ＵＥ１０５の測位をサポートするために使用され得、および／または、ｇＮＢ１１０および／またはｎｇ−ｅＮＢ１１４からのＰＲＳ送信を定義するパラメータなどの、ｇＮＢ１１０および／またはｎｇ−ｅＮＢ１１４からのロケーション関連情報を取得するために、ＬＭＦ１２０によって使用され得る。
【００４２】
[0050]ＵＥ支援型測位方法では、ＵＥ１０５は、ロケーション測定値を取得し、ＵＥ１０５についてのロケーション推定値の計算のために、ロケーションサーバ（例えば、ＬＭＦ１２０）に測定値を送り得る。例えば、ロケーション測定値は、ｇＮＢ１１０、ｎｇ−ｅＮＢ１１４、および／またはＷＬＡＮアクセスポイント（ＡＰ）についての、受信信号強度インジケーション（ＲＳＳＩ）、往復信号伝搬時間（ＲＴＴ）、基準信号時間差（ＲＳＴＤ）、基準信号受信電力（ＲＳＲＰ）、および／または基準信号受信品質（ＲＳＲＱ）のうちの１つまたは複数を含み得る。ロケーション測定値はまた、あるいは代わりに、ＳＶ１９０についてのＧＮＳＳ疑似距離、コード位相、および／またはキャリア位相の測定値を含み得る。ＵＥベースの測位方法では、ＵＥ１０５は、ロケーション測定値（例えば、これは、ＵＥ支援型測位方法についてのロケーション測定値と同じまたは同様であり得る）を取得し得、（例えば、ＬＭＦ１２０などのロケーションサーバから受信された、あるいはｇＮＢ１１０、ｎｇ−ｅＮＢ１１４、もしくは他の基地局またはＡＰによってブロードキャストされた支援データの助けを得て）ＵＥ１０５のロケーションを計算し得る。ネットワークベースの測位方法では、１つまたは複数の基地局（例えば、ｇＮＢ１１０および／またはｎｇ−ｅＮＢ１１４）またはＡＰは、ＵＥ１０５によって送信された信号についてのロケーション測定値（例えば、ＲＳＳＩ、ＲＴＴ、ＲＳＲＰ、ＲＳＲＱ、または到着時間（ＴＯＡ）の測定値）を取得し得、および／またはＵＥ１０５によって取得された測定値を受信し得、およびＵＥ１０５についてのロケーション推定値の計算のために、ロケーションサーバ（例えば、ＬＭＦ１２０）に測定値を送り得る。
【００４３】
[0051]ＮＲＰＰａを使用して、ＬＭＦ１２０にｇＮＢ１１０および／またはｎｇ−ｅＮＢ１１４によって提供される情報は、ｇＮＢ１１０についてのロケーション座標および／またはｇＮＢ１１０からのポジション測定信号の送信についてのタイミングおよび構成情報を含み得る。その後、ＬＭＦ１２０は、ＮＧ−ＲＡＮ１３５および５ＧＣ１４０を介して、ＬＰＰおよび／またはＮＰＰメッセージにおける支援データとして、ＵＥ１０５にこの情報の一部または全てを提供し得る。
【００４４】
[0052]ＬＭＦ１２０からＵＥ１０５に送られるＬＰＰまたはＮＰＰメッセージは、所望の機能に依存して、ＵＥ１０５に、様々なことのうちのいずれかを行うように指示し得る。例えば、ＬＰＰまたはＮＰＰメッセージは、ＵＥ１０５がＧＮＳＳ（またはＡ−ＧＮＳＳ）、ＷＬＡＮ、および／またはＯＴＤＯＡ（または何らかの他の測位方法）についての測定値を取得するための命令を含み得る。ＯＴＤＯＡのケースでは、ＬＰＰまたはＮＰＰメッセージは、ＵＥ１０５に、特定のｇＮＢ１１０および／またはｎｇ−ｅＮＢ１１４によってサポートされる（または、ｅＮＢまたはＷｉＦｉ  ＡＰなどの何らかの他のタイプの基地局によってサポートされる）特定のセル内で送信されたポジション測定信号に基づいて、１つまたは複数の時間差測定値を取得するように指示し得る。時間差測定は、ＬＴＥにおけるＲＳＴＤ測定と同様であり得る。例えば、時間差測定は、１つのｇＮＢ１１０によって送信またはブロードキャストされたポジション測定信号と、別のｇＮＢ１１０によって送信された同様の信号との、ＵＥ１０５における到着時間における差を測定することを備え得る。ＵＥ１０５は、サービングｇＮＢ１１０−１（またはサービングｎｇ−ｅＮＢ１１４）およびＡＭＦ１１５を介して、（例えば、５Ｇ  ＮＡＳメッセージ内で）ＬＰＰまたはＮＰＰメッセージにおいて、測定値をＬＭＦ１２０に送り返し得る。
【００４５】
[0053]述べられたように、通信システム１００が５Ｇ技術に関連して説明される一方で、通信システム１００は、（例えば、音声、データ、測位、および他の機能をインプリメントするために）ＵＥ１０５などのモバイルデバイスをサポートし、それとインタラクトするために使用される、ＧＳＭ、ＷＣＤＭＡ、ＬＴＥなどのような、他の通信技術をサポートするためにインプリメントされ得る。いくつかのこのような実施形態では、５ＧＣ１４０は、異なるエアインターフェースを制御するように構成され得る。例えば、いくつかの実施形態では、５ＧＣ１４０は、５ＧＣ１５０における非３ＧＰＰインターワーキング機能（Ｎ３ＩＷＦ、図１に図示せず）を使用して、ＷＬＡＮに接続され得る。例えば、ＷＬＡＮは、ＵＥ１０５のためのＩＥＥＥ８０２．１１ＷｉＦｉアクセスをサポートし得、１つまたは複数のＷｉＦｉ  ＡＰを備え得る。ここで、Ｎ３ＩＷＦは、ＷＬＡＮに、およびＡＭＦ１１５などの５ＧＣ１５０における他の要素に接続し得る。いくつかの他の実施形態では、ＮＧ−ＲＡＮ１３５と５ＧＣ１４０との両方が、他のＲＡＮおよび他のコアネットワークによって置き換えられ得る。例えば、ＥＰＳでは、ＮＧ−ＲＡＮ１３５は、ｅＮＢを含むＥ−ＵＴＲＡＮによって置き換えられ得、５ＧＣ１４０は、ＡＭＦ１１５の代わりにモビリティ管理エンティティ（ＭＭＥ）と、ＬＭＦ１２０の代わりにＥ−ＳＭＬＣと、ＧＭＬＣ１２５と同様であり得るＧＭＬＣとを含むＥＰＳによって置き換えられ得る。このようなＥＰＳでは、Ｅ−ＳＭＬＣは、Ｅ−ＵＴＲＡＮにおけるｅＮＢにロケーション情報を送り、また、それからロケーション情報を受信するために、ＮＲＰＰａの代わりにＬＰＰａを使用し得、ＵＥ１０５の測位をサポートするためにＬＰＰを使用し得る。これらの他の実施形態では、ＵＥ１０５の測位は、ｇＮＢ１１０、ｎｇ−ｅＮＢ１１４、ＡＭＦ１１５、およびＬＭＦ１２０について本明細書で説明される機能およびプロシージャが、いくつかのケースでは、代わりに、ｅＮＢ、ＷｉＦｉ  ＡＰ、ＭＭＥ、およびＥ−ＳＭＬＣなどの他のネットワーク要素に適用され得るという違いを伴って、５Ｇネットワークについて本明細書で説明されるものと類似の方法でサポートされ得る。
【００４６】
２．ＬＴＥポジション測定信号のための例となる信号構造
[0054]図２Ａは、ポジション測定信号（例えば、ＰＲＳ）のＬＴＥサブフレームシーケンスの構造の例である。同様のサブフレームシーケンス構造が、図１のシステムにおいても使用され得る。図２Ａでは、例示されるように、時間は、時間が左から右に増大するように水平に（例えば、Ｘ軸上で）表され、一方、周波数は、周波数が下から上に増大（または低減）するように垂直に（例えば、Ｙ軸上で）表される。図２Ａに示されるように、ダウンリンクおよびアップリンクＬＴＥ無線フレーム２１０は、それぞれ１０ｍｓの持続時間であり得る。ダウンリンク周波数分割複信（ＦＤＤ）モードの場合、無線フレーム２１０は、それぞれ１ｍｓの持続時間の１０個のサブフレーム２１２に編成される。各サブフレーム２１２は、各々が０．５ｍｓの持続時間の２つのスロット２１４を備える。スロット２１４の各スロットは、（図２Ａに示されるような通常のサイクリックプレフィックス（ＮＣＰ）のケースでは）７個のシンボル期間、または（拡張されたサイクリックプレフィックス（ＥＣＰ）のケースでは）６個のシンボル期間を含み得るとともに、各シンボル期間は、シンボルの送信のためのものである。（ＥＣＰのケースでは）最大１２個のシンボルまたは（ＮＣＰのケースでは）最大１４個のシンボルが、サブフレーム２１２内で送信され得る。シンボルは、例えば、ＰＲＳ信号を表すために使用され得る。５Ｇネットワークでは、１つのスロットにおけるシンボルの数は、異なる数（６個または７個以外）のシンボル期間を含み得、シンボル期間において送信されるシンボルの所定のパターンは、５Ｇネットワークにおけるポジション測定信号を表し得ることが理解される。
【００４７】
[0055]周波数領域では、利用可能な帯域幅は、均一に離間された直交サブキャリア２１６に分割され得る。例えば、１５ｋＨｚ間隔を使用する通常の長さのサイクリックプレフィックスの場合、サブキャリア２１６は、１２個のサブキャリアのグループにグループ化され得る。図２Ａにおいて、１２個のサブキャリア２１６を備える各グルーピングは、リソースブロックと称され、上記の例では、リソースブロックにおけるサブキャリアの数は、
【００４８】
【数１】
2021520709.tif 000003
【００４９】
と書かれ得る。所与のチャネル帯域幅について、送信帯域幅構成とも呼ばれる、各チャネル上で利用可能なリソースブロックの数２２２は、
【００５０】
【数２】
2021520709.tif 000004
【００５１】
として示される。例えば、上記の例における３ＭＨｚのチャネル帯域幅の場合、各チャネル上で利用可能なリソースブロックの数２２２は、
【００５２】
【数３】
2021520709.tif 000005
【００５３】
によって与えられる。５Ｇネットワークでは、リソースブロックは、異なる数（１２個または１５個以外）のサブキャリアを含み得、サブキャリアは、例えば、上述された３ＭＨｚチャネル帯域幅とは異なるチャネル帯域幅で生じ得ることが理解される。
【００５４】
[0056]３ＧＰＰ  ＬＴＥリリース９およびそれ以降のリリースにおいて定義されているポジション基準信号（ＰＲＳ）は、（例えば、運用および保守（Ｏ＆Ｍ）サーバによる）適切な構成の後に、ｅＮＢによって送信され得る。ＰＲＳは、ｅＮＢから無線範囲内の全てのＵＥに向けられるブロードキャスト信号として、ダウンリンク送信において送信され得、ＰＲＳは、ポジション決定のためのポジション測定信号としてＵＥによって使用され得る。ＰＲＳは、測位機会にグループ化される特殊な測位サブフレーム（special positioning subframes）において送信され得る。例えば、ＬＴＥでは、ＰＲＳ測位機会は、連続する測位サブフレームの数ＮＰＲＳを備え得、ここで、数ＮＰＲＳは、１から１６０の間であり得る（例えば、値１、２、４、および６、ならびに他の値を含み得る）。ｅＮＢ１７０によってサポートされるセルのためのＰＲＳ測位機会は、ミリ秒（またはサブフレーム）インターバルの、数ＴＰＲＳによって示されるインターバルで周期的に生じ得、ここで、ＴＰＲＳは、５、１０、２０、４０、８０、１６０、３２０、６４０、または１２８０に等しくなり得る。例として、図２Ａは、測位機会の周期性を例示し、ここで、ＮＰＲＳは、４に等しく、ＴＰＲＳは、２０以上である。いくつかの実施形態では、ＴＰＲＳは、連続する測位機会の開始の間のサブフレーム数によって測定され得る。
【００５５】
[0057]さらに、図２Ａでは、サブキャリア２１６の各サブキャリアは、スロット２１４のシンボル期間とペアにされ得、ペアは、リソース要素を形成する。シンボルは、デジタルビットストリームを同相（Ｉ）および直交（Ｑ）成分を有する複素数に変換することによって生成され得、次いで、これは、１つまたは複数のサブキャリアを変調するために使用され得る。例えば、２位相偏移変調（ＢＰＳＫ）のケースでは、ビット値が、以下の表に基づいて、ＩおよびＱ成分にマッピングされ得る：
【００５６】
【表１】
2021520709.tif 000006
【００５７】
[0067]例えば、０のビット値を表すために、１つまたは複数のサブキャリアは、それらの同相周波数成分が、１／√２の値で乗算され、それらの直交成分もまた、１／√２の値で乗算され得る。ＢＰＳＫは、ここでは例示的な例として提供され、ＰＲＳビットストリームは、４位相偏移変調（ＱＰＳＫ）、直交振幅変調（ＱＡＭ）などのような他の変調方式を使用して、同相シンボルおよび直交位相シンボルに変換され得ることに留意されたい。５Ｇネットワークにおけるポジション測定信号はまた、これらの変調方式を使用して、同相シンボルおよび直交位相シンボルに変換され得るビットストリームを含み得る。
【００５８】
[0068]リソース要素マッピングメカニズムを通じて、ＰＲＳビットストリーム（および／または５Ｇネットワークにおけるポジション測定信号ビットストリーム）の各ビットは、利用可能なサブキャリアのセット（例えば、図２Ｂの周波数ビン０〜１１）内のサブキャリアのセットにマッピングされ得る。例えば、ＰＲＳビットストリーム（および／または５Ｇネットワークにおけるポジション測定信号ビットストリーム）のビットを表す無線信号のシーケンスは、ビットを表すように変調されている、リソース要素マッピングメカニズムに従って定義された利用可能なサブキャリアのセットを備え得る。変調情報（例えば、サブキャリアのセットの各々と乗算されることになる同相値および直交値）とともに、周波数領域におけるシンボルが作成され得る。各シンボルについての周波数領域は、周波数の関数として、利用可能なサブキャリアのセット内の各サブキャリアの振幅および位相を示し得る。各シンボルの周波数領域情報は、逆高速フーリエ変換（ＩＦＦＴ）プロセッサに供給され得、これは、変調されたサブキャリアの各々の同相成分および直交成分の時間領域データを計算し得る。次いで、時間領域データは、無線信号として送信され得る。
【００５９】
[0069]図２Ｂ〜図２Ｅは、リソースブロックの例を例示する。リソースブロックの例は、ＬＴＥにおけるＰＲＳ送信のためのもの、または５Ｇネットワークにおけるポジション測定信号の送信のためのものであり得る。図２Ｂは、単一のアンテナまたは２つのアンテナ（１ポートまたは２ポート）を用いた送信のための通常のサイクリックプレフィックス（ＮＣＰ）を有するリソースブロックの例を例示する。図２Ｃは、４つのアンテナ（４ポート）を用いた送信のための通常のサイクリックプレフィックス（ＮＣＰ）を有するリソースブロックの例を例示する。図２Ｄは、単一のアンテナまたは２つのアンテナ（１ポートまたは２ポート）を用いた送信のための拡張されたサイクリックプレフィックス（ＥＣＰ）を有するリソースブロックの例を例示し、一方、図２Ｅは、４つのアンテナ（４ポート）を用いた送信のための拡張されたサイクリックプレフィックス（ＥＣＰ）を有するリソースブロックの例を例示する。図２Ｂ〜図２Ｅの各々では、「Ｒ６」とラベル付けされたリソース要素は、ＬＴＥにおけるＰＲＳ信号の送信のために使用され、一方、「Ｒ０」および「Ｒ１」とラベル付けされたリソース要素は、ＬＴＥにおける他の信号（例えば、セル基準信号（ＣＲＳ））の送信のために使用され得る。
【００６０】
[0070]図２Ｂの例では、（ＬＴＥネットワークにおける）ＰＲＳ信号は、シンボル２３２、２３４、２３６、２３８、２４０、２４２、２４４、および２４６を形成するために、異なるシンボル期間においてサブキャリア０、１、３、４、５、６、７、９、１０、および１１の変調パターンを含み得る。例えば、シンボル２３２は、シンボル期間３において、サブキャリアビン３および９を使用して送信され得る。シンボル２３４は、シンボル期間５において、サブキャリアビン１および７を使用して送信され得る。シンボル２３６は、シンボル期間６において、サブキャリアビン０および６を使用して送信される。シンボル２３８は、シンボル期間８において、サブキャリアビン５および１１を使用して送信され得る。シンボル２４０は、シンボル期間９において、サブキャリアビン４および１０を使用して送信され得る。シンボル２４２は、シンボル期間１０において、サブキャリアビン３および９を使用して送信され得る。シンボル２４４は、シンボル期間１２において、サブキャリアビン１および７を使用して送信され得る。シンボル２４６は、シンボル期間１３において、サブキャリアビン０および６を使用して送信され得る。（異なるセルの）異なる基地局は、異なる基地局からのＰＲＳ信号間の干渉を回避するために、および、モバイルデバイスが、ＲＳＴＤ決定を実行するために、複数の基地局からのＰＲＳ信号を区別することを可能にするために、ＰＲＳ信号の送信のために異なるリソース要素パターンを使用し得る。例示的な例として、１ポートまたは２ポートＮＣＰを使用してＰＲＳ信号を送信するために、異なる基地局は、シンボル２３２、２３４、２３６、２３８、２４０、２４２、２４４、および２４６について、図２Ｂに示されるサブキャリアビンのセットとは異なるサブキャリアビンのセットを使用し得る。サブキャリアビンのセットは、例えば、物理セル識別子（ＰＣＩ）を受け取るリソース要素マッピング機能によって決定され得る。
【００６１】
[0071]モバイルデバイスは、時間領域データシンボルを備える無線信号を受信し、無線信号からＰＲＳビットストリームを抽出し得る。例えば、モバイルデバイスは、無線信号のサンプルを生成するために、アナログデジタル変換器（ＡＤＣ）を使用し、各シンボルの周波数領域表現を取得するために、順方向ＦＦＴプロセッサを使用してサンプルを処理し得る。ＦＦＴ出力の各タップは、変調されたサブキャリアのうちの１つに対応し得る。ＦＦＴ出力は、変調されたサブキャリアの同相成分および直交成分によって表されるリソース要素のセットに対応し得る。モバイルデバイスは、各シンボルについての変調されたサブキャリアの各々の複素共役（complex conjugate）を含む、リソース要素マッピング情報に基づいて生成されたデスクランブリングシーケンスを取得し、デスクランブリングシーケンスを使用して、ＦＦＴ出力に対して相関演算を実行し得る。各変調されたサブキャリアについて、相関演算は、変調されたサブキャリアに対応するリソース要素を含むシンボルの各々についての１つまたは複数の相関積を生成し得る。各変調されたサブキャリアについての相関積は、サブキャリアがシンボル期間においてシンボルを表すように変調されている、シンボル期間を表し得る。各変調されたサブキャリアについて、相関積は、周波数領域ベクトルを形成するために平均化され得るとともに、周波数領域ベクトルの各エントリが、リソースブロックのサブキャリアビンの振幅および位相を表している。周波数領域ベクトルに含まれる振幅および位相情報は、時間領域チャネルエネルギー応答（ＣＥＲ）を生成するために、ＩＦＦＴプロセッサを使用して処理され得る。次いで、ＣＥＲデータは、ＰＲＳビットストリームを復元するために復調され得る。
【００６２】
[0072]図２Ｂ〜図２Ｅを再び参照すると、基地局は、ＬＴＥネットワークにおいてＰＲＳ信号を含むサブフレームを送信するために、ダウンリンク送信のために割り振られた各々および全てのサブキャリアを使用するわけではないことが分かる。例えば、図２Ｂの例では、周波数ビン２および８が使用されない。図２Ｃおよび図２Ｄの例では、周波数ビン２、５、８、および１１が使用されない。図２Ｅの例では、周波数ビン２、４、５、８、１０、および１１が使用されない。
【００６３】
[0073]ダウンリンク送信におけるサブキャリアの不使用は、モバイルデバイスによって生成される周波数領域ベクトルにおける周期的および離散的な周波数ホール（periodic and discrete frequency holes）をもたらし得る。例えば、図２Ｂの例を参照すると、ＬＴＥネットワークにおけるＰＲＳ信号のための周波数領域ベクトルは、６個のサブキャリアごとにホールを含み得る。周波数領域ベクトルにおける周期的および離散的な周波数ホールは、周期的および離散的なエイリアス項（alias terms）を含む時間領域ＣＥＲをもたらし得る。これは、周波数領域における周期的および離散的な信号が、逆フーリエ変換によって処理された後に、時間領域において離散的および周期的になる、フーリエ変換の特性によるものであり得る。
【００６４】
[0074]ＬＴＥネットワークでは、周期的なエイリアス項は、誤ったＰＲＳ信号がＲＳＴＤ測定のために使用されることをもたらし得る。図２Ｆは、図２Ｂの例となるリソースブロックを使用してダウンリンク送信から再構築されるＰＲＳ信号の例を例示する。ＰＲＳ信号は、タイムスタンプＴ＝０Ｔｓにおいて真のピークを含む。ここで、「Ｔｓ」は、時間スケールの単位であり、３２．６ナノ秒（ｎｓ）を表す。図２Ｆでは、他の偽のピークが、例えば、タイムスタンプＴ＝−３４１．３３Ｔｓおよび＋３４１．３３Ｔｓにおいて生じ得る。Ｔ＝０Ｔｓにおける真のピークと、タイムスタンプＴ＝−３４１．３３Ｔｓにおける偽のピークとの間の電力レベルは、１２ｄＢである。ＰＲＳ信号として−１２ｄＢを上回る信号ピークを有する信号を検出するように設計された検出器は、偽のピークを真のピークと誤って見なし、ＰＲＳ信号を受信／検出した時間として、タイムスタンプＴ＝０Ｔｓではなく、タイムスタンプＴ＝−３４１．３３Ｔｓを使用し得る。誤ったタイミング情報に基づいて、モバイルデバイスは、不正確なＲＳＴＤ測定値を生成し得る。
【００６５】
３．５Ｇネットワークのためのポジション測定信号のための例となる信号構造
[0075]エイリアシング効果を軽減するために、５Ｇネットワークにおける基地局（例えば、図１のｇＮＢ１１０およびｎｇ−ｅＮＢ１１４）は、信号の周波数領域ベクトルに周波数ホールがもたらされることを回避するために、ポジション測定信号を送信するために、リソースブロックの各サブキャリアを使用するように構成され得る。ここで図３Ａ〜図５Ｄを参照すると、これらの各々は、エイリアシング効果を軽減するために、５Ｇネットワークにおけるポジション測定信号の送信のためのリソースブロックにおけるリソース要素マッピングの例を例示する。ポジション測定信号は、図３Ａ〜図５Ｄに示されるリソース要素マッピングの例を使用して、スケジュールされた送信機会中に送信され得る。図３Ａ〜図５Ｄの例示的な例の各々では、通常のサイクリックプレフィックスが使用されると仮定され、各リソースブロックは、最大１４個のシンボルを有し得、１２個のサブキャリアビンが割り振られている。リソースブロックの例は、例えば、（リソースブロックが最大１２個のシンボルを含むように）拡張されたサイクリックプレフィックスが使用されること、利用可能なサブキャリアの数を変更する異なるチャネル帯域幅などを含む、リソースブロックの他の構成に適用可能であり得ることを理解されたい。
【００６６】
[0076]図３Ａの例では、ポジション測定信号は、各シンボルがリソースブロックにおけるサブキャリアのうちの１つを使用している状態で、リソースブロックの１４個のシンボルを含み得、各サブキャリアは、ポジション測定信号送信のために少なくとも１回使用される（そして、サブキャリアビン０および１などの、いくつかは２回使用される）。図３Ｂの例では、ポジション測定信号はまた、各シンボルがリソースブロックにおけるサブキャリアのうちの２つを使用している状態で、１４個のシンボルを含み得、各サブキャリアは、ポジション測定信号送信のために少なくとも２回使用される（そして、サブキャリアビン０、１、６、および７などの、いくつかは３回使用される）。図３Ｃの例では、ポジション測定信号はまた、各シンボルがリソースブロックにおけるサブキャリアのうちの３つを使用している状態で、１４個のシンボルを含み得、各サブキャリアは、ＰＲＳ信号送信のために少なくとも３回使用される（そして、サブキャリアビン０、１、４、５、８、および９などの、いくつかは４回使用される）。図３Ｄの例では、ポジション測定信号はまた、各シンボルがリソースブロックにおけるサブキャリアのうちの４つを使用している状態で、１４個のシンボルを含み得、各サブキャリアは、ポジション測定信号送信のために少なくとも４回使用される（そして、サブキャリアビン０、１、３、４、６、７、９、および１０など、いくつかは５回使用される）。
【００６７】
[0077]図３Ａ〜図３Ｄの各々では、シンボル間のリソース要素マッピングの繰り返しパターンが形成され得、シンボルのうちのいくつかは、サブキャリアの同一のセットを有する。例えば、図３Ａを参照すると、シンボル０および１２の両方が、サブキャリアビン０を使用し、一方、シンボル１および１３の両方が、サブキャリアビン１を使用する。また、図３Ｂを参照すると、シンボル０〜５のためのサブキャリアビンパターンは、シンボル６〜１１に対して繰り返される。リソース要素マッピングの繰り返しパターンの使用は、ポジション測定信号の送信のための基地局間のリソース要素割振りにおいて望ましくあり得る。例えば、リソース要素マッピングは、シンボル番号に基づいて周波数ビンを出力する１つまたは複数の式に基づき得る。式は、各シンボルのために使用されるサブキャリアを決定するために、基地局および移動局の両方に対して利用可能にされ得る。このような配置では、リソース要素マッピングは、より予測可能かつ均一になり得、一方、基地局および移動局の両方における動作は、簡略化され得る。例えば、基地局は、どのサブキャリアが各シンボルのために使用されるかを移動局に通知するために、移動局に（例えば、ＬＴＥにおける物理ダウンリンク制御チャネル（ＰＤＣＣＨ）の形態で）完全なリソース要素マッピングを送信する必要はない。
【００６８】
[0078]例示的な例として、図３Ｃのリソース要素マッピングは、以下の式によって表され得る：
Subcarrier_bin0 = symbol_number mod 4          （式１）
Subcarrier_bin1 = symbol_number mod 4 + 4      （式２）
Subcarrier_bin2 = symbol_number mod 4 + 8      （式３）
【００６９】
[0079]ここで、subcarrier_bin0、subcarrier_bin1、およびsubcarrier_bin2は、それぞれ、特定のシンボル番号（またはシンボル期間）に関連付けられたシンボルの送信のために使用される第１のサブキャリア、第２のサブキャリア、および第３のサブキャリアのサブキャリアビン番号を指す。サブキャリアビン番号は、シンボル番号に対して４によるモジュロ演算（ｍｏｄ）を実行することに基づいて決定され得る。（それぞれシンボル期間０、４、８、および１２において送信されることになる）シンボル番号０、４、８、および１２を有するシンボルの場合、サブキャリアビン０、４、および８が、式１〜式３から取得され得る。シンボル番号１の場合、サブキャリアビン１、５、および９が、これら式から取得され得る。これら式はまた、干渉を低減させるために、異なるサブキャリアが同じシンボル期間中に使用されることを保証するために、異なる基地局に対して更新され得る。例えば、異なる基地局に対して、リソース要素の式は、以下のように更新され得る：
Subcarrier_bin0 = symbol_number mod 4 + 1      （式４）
Subcarrier_bin1 = symbol_number mod 4 + 4      （式５）
Subcarrier_bin2 = symbol_number mod 4 + 9      （式６）
【００７０】
[0080]式４、式５、および式６により、異なる基地局は、干渉を回避するために、（式１〜式３からのサブキャリアビン０、４、および８とは異なる）サブキャリアビン１、５、および９を用いてシンボル番号０を送信し得る。
【００７１】
[0081]上記で説明されたように、シンボル間のリソース要素マッピングの繰り返しパターンが、図３Ａ〜図３Ｄの例において形成される。しかしながら、このような繰り返しパターンは、信号の周波数領域ベクトルに周波数ホールがもたらされることを回避するために、ポジション測定信号を送信するために、リソースブロックの各サブキャリアを使用することを必ずしも必要とされるわけではない。図３Ｅは、図３Ａ〜図３Ｄの例とは異なる、シンボル間のリソース要素マッピングの例を例示する。図３Ｅの例は、１４個のシンボル間でそれ自体繰り返すリソース要素マッピングのパターンを有さない。しかしながら、リソース要素マッピングのこのパターンを使用すると、各サブキャリアは、同じくポジション測定信号送信のために少なくとも１回使用され、前述のエイリアシング効果が軽減され得る。
【００７２】
[0082]図４Ａ〜図４Ｃは、５Ｇネットワークにおけるポジション測定信号送信のためのリソースブロックにおけるリソース要素マッピングの例の別のセットを例示する。図３Ａ〜図３Ｅの例とは異なり、図４Ａ〜図４Ｃの各例では、各サブキャリアは、同じ回数だけ、および同じ数のシンボルの送信のために使用される。例えば、図４Ａでは、ポジション測定信号は、２つのシンボル（シンボル番号０およびシンボル番号７）を含み、各シンボルは、６個のサブキャリアの異なるセットを使用し、各サブキャリアは、１回および２個のシンボルのうちの１つの送信のために使用される。さらに、図４Ｂでは、ポジション測定信号は、１４個のシンボルを含み、各シンボルは、（いくつかのシンボルが、６個のサブキャリアの同じセットを使用しており、いくつかのシンボルが、６個のサブキャリアの異なるセットを使用している状態で）６個のサブキャリアのセットを使用し、各サブキャリアは、７回および７個のシンボルの送信のために使用される。さらに、図４Ｃでは、ポジション測定信号は、４個のシンボルを含み、各シンボルは、６個のサブキャリアのセットを使用し、各サブキャリアは、２回および２個のシンボルの送信のために使用される。
【００７３】
[0083]図４Ａ〜図４Ｃのリソース要素マッピング例では、同じ数のリソース要素が、シンボルの送信のために各サブキャリアにおいて使用され、これは、シンボル抽出のための各サブキャリアの均一な処理を可能にする。例えば、上述されたように、相関処理の結果として、１つまたは複数の積が、各変調されたサブキャリアのために生成され得、積は、ＰＲＳ信号の再構築のための周波数領域ベクトルを形成するために平均化されることになる。各サブキャリアについて同じ数のリソース要素（例えば、図４Ａの例では、１つのリソース要素、図４Ｂの例では、７個のリソース要素、図４Ｃの例では、２個のリソース要素）を使用することによって、同じ数の積が、各サブキャリアについての相関演算から生成され得、同じ数の積は、ポジション測定信号の対応する周波数成分を計算するために、各サブキャリアについて平均化され得る。さらに、各サブキャリアは、均一な信号電力および信号対雑音比を有し得、これもまた、各サブキャリアについての均一な信号処理（例えば、同じ増幅利得、同じ雑音処理など）を可能にする。これらは全て、各サブキャリアのより均一な処理を可能にし、その結果、インプリメンテーションの複雑さを低減させ得る。
【００７４】
[0084]図５Ａ〜図５Ｄは、５Ｇネットワークにおけるポジション測定信号の送信のためのリソースブロックにおけるリソース要素マッピングの例の別のセットを例示する。図５Ａ〜図５Ｄの各例では、各シンボルは、リソースブロックの各サブキャリアを使用し、各シンボルが送信のためにサブキャリアの同じセットを使用することをもたらす。これらの例におけるポジション測定信号は、（図５Ａでのように）１つのシンボル、（図５Ｂでのように）２つのシンボル、（図５Ｃでのように）７つのシンボル、（図５Ｄでのように）４つのシンボルなどを含み得る。図５Ａ〜図５Ｄにおけるリソース要素マッピングは、（各サブキャリアが同じ数のシンボルの送信のために使用されるので）各サブキャリアの均一な処理だけでなく、各シンボルの均一な処理も可能にする。例えば、各サブキャリアについて、相関演算は、同じシンボル期間におけるリソース要素の同じセットを表す複素共役値の同じシーケンスを使用し得る。異なるシンボル期間におけるリソース要素の異なるセットを表す複素共役値の異なるシーケンスが、異なるサブキャリアの相関演算のために使用され得る、図４Ａ〜図４Ｃの例と比較して、図５Ａ〜図５Ｄにおける配置は、サブキャリアのよりいっそう均一な処理を可能にし、これは、インプリメンテーションの複雑さをさらに低減させ得る。
【００７５】
４．シグネチャ構造の選択
[0085]加えて、シグネチャ構造（signature structure）がまた、信号品質を改善するために選択され得る。選択は、動作環境に関連する１つまたは複数のメトリックに基づき得る。メトリックは、動作環境における信号品質劣化の様々なソースに関連し得る。メトリックに基づいて、信号構造は、動作環境に適合するように、およびＵＥにおいて受信される信号の品質を改善するように、ポジション測定信号の送信のために選択され得る。
【００７６】
ａ．ドップラー感度
[0086]（例えば、チャネルエネルギー応答（ＣＥＲ）、チャネルインパルス応答（ＣＩＲ）などに従って定義される）ＵＥにおいて受信されるポジション測定信号の品質は、ＵＥが動いているとき、ドップラー効果によって影響され得る。ドップラー効果は、ＵＥにおいて受信される信号に、観測された位相シフトをもたらし得る。観測された位相シフトは、ＵＥにおける信号品質の時間領域測定値に誤差をもたらし得る。例えば、信号は、第１のインスタンスにおいて、振幅Ａおよび０度の位相を有するように測定され得、信号は、ドップラー効果によって引き起こされる位相シフトにより、振幅Ａおよび１８０度の位相を有するように測定され得る。２つの測定値は、ゼロ（Ａ−Ａ）の測定値を提供するように組み合わされ得、ドップラー効果がなかった場合は、組み合わされた測定値は、２Ａ（Ａ＋Ａ）であったであろう。
【００７７】
[0087]観測された位相シフトは、ＵＥの速度と、測定期間の持続時間との間の乗積（multiplication product）に関連し得る。したがって、測定期間のより短い持続時間が、観測された位相シフトのターゲット度数（target degree）に対応する誤差バジェットに対して、より大きいＵＥ速度を可能にするために（およびＵＥの移動に対する制限をより少なくするために）、および／または、より小さい観測された位相シフトをもたらすために、望ましくあり得る。ドップラー効果がポジション測定信号における誤差または不確実性を支配するケースでは、信号構造は、測定期間のより短い持続時間を可能にし得、ポジション測定を提供するために使用され得る。
【００７８】
[0088]例示的な例として、２つのセル局は、移動しているＵＥに所定の周波数の信号を送信し得る。ドップラー効果により、ＵＥは、２つのセル局によって送信された信号における周波数差を観測し得る。両方のセル局の送信機が周波数ロックされていると仮定すると、最悪のケースの周波数差は、以下のように、ＵＥの速度、光の速さ、および信号の送信の周波数の関数であり得る：
【００７９】
【数４】
2021520709.tif 000007
【００８０】
[0089]式７において、パラメータΔＦＤｏｐｐｌｅｒは、ＵＥにおける観測された周波数シフトであり得、パラメータｃは、光の速さであり得、パラメータΔＶＵＥは、セル局に対するＵＥの速度であり得、一方、パラメータｆ０は、信号の送信の周波数であり得る。観測された周波数シフトは、ＵＥにおいて観測された信号における位相シフトになるように、信号測定ウィンドウ期間とともに累積（accumulated）され得る。ＵＥの速度が一定であると仮定すると、位相シフトは、以下の式に基づいて決定され得る：
【００８１】
【数５】
2021520709.tif 000008
【００８２】
[0090]式８において、パラメータ
【００８３】
【数６】
2021520709.tif 000009
【００８４】
「以下、「Δθ」とする」は、観測された位相シフトであり得、パラメータｃは、光の速さであり得、パラメータΔＶＵＥは、セル局に対するＵＥの速度であり得、パラメータｆ０は、信号の送信の周波数であり得、一方、Ｔ０は、信号測定ウィンドウ期間の持続時間であり得る。式８に示されるように、（ΔＶＵＥ、ｆ０、およびｃの所与の組合せについての）Ｔ０のより短い持続時間は、より小さい位相シフトΔθをもたらし得るか、または所与のターゲット位相シフトΔθに対してより大きいＵＥ速度ΔＶＵＥを許容し得る。シグネチャ構造は、例えば、観測された位相シフトを備えるメトリックを最小化するように、および／または所与の観測された位相シフトバジェットについての許容されるＵＥ速度を最大化するように、選択され得る。両方のケースにおいて、信号構造は、より小さい測定ウィンドウ期間を提供するように選択され得る。このような信号構造の一例は、図５Ａ〜図５Ｄの信号構造を含み得る。例えば、図５Ａ〜図５Ｄの各々では、リソースブロックにおける１２個のサブキャリアの全てが、シンボルを表すために使用される。例えば、図５Ａの信号構造は、シンボルを表すために１２個のサブキャリアの全てを使用し、１つのシンボルがリソースブロックにおいて表されており、一方、図５Ｂ〜図５Ｄは、各シンボルが同じ１２個のサブキャリアによって表されている状態で、複数のシンボルを含む。これらの例の全てにおいて、各シンボルは、スペクトル内にいかなる周波数ホールもなしに（１２個のサブキャリアの全てが使用されるので）、連続した周波数スペクトルによって表される。したがって、ポジション測定は、単一のシンボル期間内で図５Ａ〜図５Ｄの信号構造における単一のシンボルに基づいて実行され得る。
【００８５】
[0091]対照的に、図３Ａの信号構造は、リソースブロック内の連続した周波数スペクトルを取得するために、シンボル０〜１１の組合せを必要とする。シンボル０〜１１が１２個のシンボル期間に及ぶ（span）と仮定すると、図３Ａの信号構造は、図５Ａ〜図５Ｄの信号構造のための測定期間の１２倍である測定期間を必要とし得、より大きい観測された位相シフトΔθをもたらし得る。さらに、所与のターゲット位相シフトΔθについて、図３Ａの信号構造は、図５Ａ〜図５Ｄの信号構造によって許容されるものの１／１２であるＵＥ速度を許容する。したがって、（例えば、ＵＥの高速移動により）ドップラー効果がポジション測定信号における誤差または不確実性を支配するケースでは、図５Ａ〜図５Ｄの信号構造は、図３Ａの信号構造よりも好ましくあり得る。
【００８６】
ｂ．時間変動フェージング耐性
[0092]ＵＥにおいて受信されるポジション測定信号の品質はまた、ＵＥによって経験されるタイミングで変動するチャネルフェージング効果によって影響され得る。チャネルフェージング効果は、ＵＥが異なる時間に異なる程度のチャネルフェージングを経験し得るように、例えば、ＵＥのロケーションにおける変化、ＵＥが位置する環境における変化などにより、時間に対して変化し得る。時間で変動するチャネルフェージング効果は、ＵＥが、例えば、ポジション測定信号の偽のピークを検出し、誤ったタイミング情報を推定し得るように、ポジション測定信号を汚染（contaminate）し得る、時間で変動する成分をもたらし得る。
【００８７】
[0093]ある特定のレベルのタイミングで変動するチャネルフェージングが与えられると、ポジション測定信号の誤検出の誤差（error of false detection）の可能性を最小限にするために、全てのサブキャリアが（周波数ホールを回避するために）送信のために使用されるだけでなく、これらサブキャリアが（１つまたは複数の）異なる時点における送信のためにも使用されるように、信号構造を使用することが有利である。このような配置では、相関処理が各サブキャリアに対して実行されるので（as）、時間で変動するフェージングの影響は軽減され得、次いで、相関出力が平均化され、これもまた、時間で変動するフェージング成分を平均化（average out）および低減させ得る。さらに、信号構造は、リソースブロック内のサブキャリアの繰り返し送信パターンを含み得、ここで、各繰り返し送信パターンは、比較的大きい時間ギャップによって分離され得る。大きい時間ギャップは、繰り返し送信パターン間のチャネルフェージング効果における相関を低減させ得、これは、平均化によって、時間で変動するフェージング成分の低減をさらに改善し得る。
【００８８】
[0094]時間で変動するチャネルフェージング効果がポジション測定信号における誤差を支配するケースでは、図５Ｂの信号構造は、例えば、図３Ａおよび図３Ｂの信号構造よりもより好ましくあり得る。これは、図５Ｂのシグネチャ構造では、リソースブロックは、比較的大きい時間ギャップ（例えば、６個のシンボル期間）によって離間された２つのシンボルを含む一方で、図３Ａおよび図３Ｂのシグネチャ構造では、各シンボル間に時間ギャップがないからである。上記で説明されたように、大きい時間ギャップは、繰り返し送信パターン間のチャネルフェージング効果における相関を低減させ得、これは、平均化によって、時間で変動するフェージング成分の低減をさらに改善し得る。したがって、図５Ｂのシグネチャ構造は、図３Ａおよび図３Ｂの信号構造よりも、時間で変動するチャネルフェージング効果に対するより良好な保護を提供し得る。
【００８９】
ｃ．直交性
[0095]ＵＥにおいて受信されるポジション測定信号の品質はまた、異なる基地局によって送信される信号間の直交性によって影響され得る。２つの信号間の直交性は、２つの信号間の時間または周波数における重複の欠如を指し得る。時間および周波数における重複の欠如は、２つの信号間の衝突を低減させ得る。ＵＥがいくつかの地理的に異なる送信ポイント（例えば、異なるセル局）から受信された信号に基づいてポジション測定を実行するケースでは、信号間の直交性は、ＵＥがセル局から高品質信号を同時に受信することを可能にする。他方では、直交性の欠如は、信号衝突およびジャミングをもたらし得る。例えば、ＵＥは、非常に強いサービングセルの近くにありながら、非常に弱いネイバーセルを測定しなければならないこともあり得る。サービングセルの信号がネイバーセルのものと時間および周波数において衝突する場合、より弱いネイバーセルの信号は、強いサービングセルの信号によって完全にジャミング／圧倒され（swamped）得、ＵＥは、サービングセルからおよびネイバーセルから受信された信号に基づいて測定を実行することができないことがあり得る。
【００９０】
[0096]信号構造は、各セル局から受信されるポジション測定信号がリソースブロックにおけるサブキャリア周波数の全てをカバーすることを保証しながら、複数のセル局が直交ポジション測定信号を送信することを可能にするように選択／構成され得る。例えば、図５Ａの信号構造を参照すると、ポジション測定信号は、リソースブロックにおける１つのシンボル（シンボル期間０において送信されるシンボル）によって表され得、シンボルは、１２個のサブキャリアの全てによって表される。図５Ａの信号構造では、１３個のシンボル期間が、同じリソースブロックにおける単一のシンボルをポジション測定信号として送信するために、他のセル局に割り振られ、単一のシンボルは、（時間における重複の欠如により）セル局によって送信されるポジション測定信号間の直交性を維持するために、異なるシンボル期間において送信され得る。比較すると、１つのリソースブロックにおけるシンボル期間のペア（例えば、シンボル期間０および７）で送信される２つのシンボルを備える図５Ｂの信号構造では、１２個のシンボル期間が、他のセル局に割り振られ得、これは、最大６個の基地局が異なるシンボル期間ペア（例えば、シンボル期間１および８、２および９など）で２つのシンボルを送信することを可能にする。図５Ａの信号構造と比較して、図５Ｂの信号構造は、より少ない基地局が直交ポジション測定信号を送信することを可能にする。直交性はまた、セルがマルチビームアンテナ／アンテナアレイにアタッチされている（attached）ケースでは、異なる時点における異なるアンテナビーム上での信号の送信から得られ得る。このようなケースでは、サブビームは、同様の単一のワイドビームアンテナよりも小さいカバレッジエリアをサポートすることになる。したがって、衝突をより小さい地理的エリアに制限する。
【００９１】
ｄ．信号構造の適合
[0097]上記で説明されたように、異なる信号構造は、ポジション測定信号品質の劣化の異なるソースに対する保護を提供し得る。信号構造は、例えば、どの劣化のソースが支配的であるかに基づいて選択され得、これはその結果、ＵＥの動作状態に依存し得る。例えば、ドップラー効果が支配するように、ＵＥが高速で移動している（例えば、ビークル内にある）場合、短い測定期間を許容する信号構造（例えば、信号構造図５Ａ〜図５Ｄのいずれか）が使用され得る。別の例として、ＵＥが、チャネルフェージング効果が時間とともに実質的に変化する環境で動作する（例えば、ＵＥが異なるロケーションにおいてポジション測定信号の異なる程度の遮断（blocking）を経験し得る都市部で動作する）場合、上述されたように、相対的に大きい時間ギャップによって離間された繰り返しシンボルを含む信号構造（例えば、図５Ｂの信号構造）が使用され得るが、このような信号構造は、例えば、リソースブロック内に繰り返しシンボルを有しない信号構造（例えば、図５Ａの信号構造）に比べて、リソースブロック内で直交ポジション測定信号を送信するための基地局の数を低減させ得る。他方では、ＵＥが、ポジション測定を実行するために、多数の基地局からポジション測定信号を受信する必要があるケースでは、図５Ａの信号構造が好ましくあり得る。
【００９２】
[0098]いくつかの例では、基地局は、上記で説明された技法を使用して、ＵＥの動作状態（例えば、ＵＥが、高速で移動するかどうか、都市部で動作するかどうか、多数のソースからのポジション測定信号を必要とするポジション測定方式を使用するかどうかなど）を決定し、それに応じてポジション測定信号のための信号構造を選択し、ＵＥに選択を示し得る。
【００９３】
５．方法
[0099]図６は、ある実施形態による、基地局においてＵＥ（例えば、ＵＥ１０５）を位置特定する方法６００を例示するフロー図であり、これは、上記で説明された実施形態の態様による基地局の機能を例示する。いくつかの実施形態によれば、図６に例示される１つまたは複数のブロックの機能は、基地局（例えば、図１のｇＮＢ１１０およびｎｇ−ｅＮＢ１１４）によって実行され得る。そして、基地局がコンピュータシステムを備え得るので、これらの機能を実行するための手段は、図９に例示されおよび以下でより詳細に説明されるコンピュータシステムなどのコンピュータシステムのソフトウェアおよび／またはハードウェア構成要素を含み得る。
【００９４】
[0100]ブロック６１０の機能は、基地局において、ダウンリンク送信のための複数のサブキャリアを決定することを含み、ここにおいて、ダウンリンク送信のための複数のサブキャリアは、スケジュールされた送信機会内のスケジュールされた送信時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである。いくつかの実施形態では、ダウンリンク送信のための複数のサブキャリアは、リソースブロックにおける全てのサブキャリアを備え得る。例えば、１５ｋＨｚ間隔を使用する通常の長さのサイクリックプレフィックスの場合、１２個のサブキャリアのグループが決定され得る。サブキャリア情報は、例えば、測位測定信号のダウンリンク送信のために基地局に割り振られたチャネル帯域幅、所与のセルに割り当てられた物理識別値に基づいて、または他の構成情報に基づいて決定され得る。ブロック６１０における機能を実行するための手段は、図９に例示されおよび以下でより詳細に説明される通信ネットワークサーバ９００のバス９０５、（１つまたは複数の）処理ユニット９１０、通信サブシステム９３０、ワーキングメモリ９３５、オペレーティングシステム９４０、（１つまたは複数の）アプリケーション９４５、および／または他の構成要素などの、コンピュータシステムの１つまたは複数の構成要素を備え得る。
【００９５】
[0101]ブロック６２０の機能は、基地局から、スケジュールされた送信時間において、かつ、複数のサブキャリアの各サブキャリアを使用して、スケジュールされた送信機会においてワイヤレスポジション測定信号を送信することを含み、ワイヤレスポジション測定信号は、ポジション測定信号ビットストリームを表すワイヤレス信号のシーケンスの一部であり、ここにおいて、ワイヤレスポジション測定信号は、複数のシンボル期間のうちの１つまたは複数のシンボル期間において送信される１つまたは複数のシンボルを備え、ここにおいて、ワイヤレスポジション測定信号のスケジュールされた送信機会のタイミングは、それが、そのタイミングに基づいてポジション測定が行われることを可能にするようなものである。ポジション測定信号は、５Ｇネットワークにおけるポジション測定信号ビットストリームおよび／またはＰＲＳビットストリームを表す無線／ワイヤレス信号のシーケンスの一部であり得る。ポジション測定信号は、（例えば、基地局から所定の距離内にある任意のＵＥによって捕らえられ（picked up）得る）ブロードキャスト信号としてブロードキャストされ得る。ポジション測定信号はまた、特定のＵＥをターゲットにし得る。ポジション測定信号は、例えば、図３Ａ〜図５Ｄに示されたような、リソース要素マッピングの例に基づいて、１つまたは複数のシンボルを使用して送信され得る。リソース要素マッピングパターンは、異なる基地局に対して（例えば、各シンボル期間において異なるセットのリソース要素を使用することによって）変更され得る。ＰＲＳ信号を送信するために、信号情報は、１つまたは複数のシンボルを作成するために、リソース要素マッピングに基づいて、１つまたは複数のシンボル期間における１つまたは複数のサブキャリアを変調するために使用され得る。シンボルは、周波数領域において、および周波数に対する振幅および位相の分布によって表され得る。シンボルの周波数領域情報は、時間領域データを作成するために、ＩＦＦＴプロセッサを使用して処理され得る。時間領域データは、無線信号の形態でブロードキャストされ得る。ブロック６２０における機能を実行するための手段は、図９に例示されおよび以下でより詳細に説明される通信ネットワークサーバ９００のバス９０５、（１つまたは複数の）処理ユニット９１０、ワーキングメモリ９３５、オペレーティングシステム９４０、（１つまたは複数の）アプリケーション９４５、および／または他の構成要素などの、コンピュータシステムの１つまたは複数の構成要素を備え得る。
【００９６】
[0102]図７は、ある実施形態による、ＵＥにおいてＵＥを位置特定する方法７００を例示するフロー図であり、これは、上記で説明された実施形態の態様によるＵＥの機能を例示する。いくつかの実施形態によれば、図７に例示される１つまたは複数のブロックの機能は、ＵＥ（例えば、ＵＥ１０５）を含むモバイルデバイスによって実行され得る。これらの機能を実行するための手段は、図８に例示されおよび以下でより詳細に説明されるような、ＵＥ１０５のソフトウェアおよび／またはハードウェア構成要素を含み得る。
【００９７】
[0103]ブロック７１０において、機能は、モバイルデバイスにおいて、スケジュールされた送信機会内のスケジュールされた時間において、無線信号のシーケンスを受信することを含む。無線信号のシーケンスは、例えば、５Ｇネットワークにおけるポジション測定信号ビットストリーム、ＰＲＳビットストリームなどを表し得る。無線信号のシーケンスは、デジタル信号のセットを生成するためにサンプリングされ得る。ブロック７１０における機能を実行するための手段は、図８に例示されおよび以下でより詳細に説明されるようなＵＥ１０５のバス８０５、（１つまたは複数の）処理ユニット８１０、ワイヤレス通信インターフェース８３０、メモリ８６０、ＧＮＳＳ受信機８８０、および／または他のハードウェアおよび／またはソフトウェア構成要素を備え得る。
【００９８】
[0104]ブロック７２０において、機能は、モバイルデバイス上で、無線信号のシーケンスを処理するための複数のサブキャリアを決定することを含み、ここにおいて、複数のサブキャリアは、スケジュールされた時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである。ＵＥは、例えば、ＬＰＰからの支援データに基づいて、リソースブロック情報を受信し得る。ブロック７２０における機能を実行するための手段は、図８に例示されおよび以下でより詳細に説明されるようなＵＥ１０５のバス８０５、（１つまたは複数の）処理ユニット８１０、ワイヤレス通信インターフェース８３０、メモリ８６０、ＧＮＳＳ受信機８８０、および／または他のハードウェアおよび／またはソフトウェア構成要素を備え得る。
【００９９】
[0105]ブロック７３０において、機能は、モバイルデバイス上で、無線信号のシーケンスがポジション測定信号ビットストリーム（またはＰＲＳビットストリーム）を表すかどうかを決定するために、リソースブロックの複数のサブキャリアの各々を使用して無線信号のシーケンスを処理することを含む。処理は、例えば、各シンボルについて１つまたは複数のリソース要素を抽出するために、無線信号のデジタルサンプルに対してＦＦＴ演算を実行することと、ＦＦＴ演算の出力に、リソース要素の複素共役を含む１つまたは複数のデスクランブリングシーケンスを乗算することによって、相関演算を実行することと、周波数領域ベクトルを生成するために、各サブキャリアについての相関積の平均化を実行することと、を含み得る。デスクランブリングシーケンスは、図３Ａ〜図５Ｄにおけるリソース要素マッピングの例に基づき得る。例えば、（例えば、図４Ａ〜図５Ｄでのように）各サブキャリアが、シンボルを送信するために、リソースブロックにおいて同じ回数変調されるケースでは、同じ回数の平均化演算が、各サブキャリアに対して実行され得る。さらに、各シンボルがサブキャリアの同じセットを使用するケースでは、同じデスクランブリングシーケンスが、各サブキャリアに対して相関を実行するために使用され得る。デスクランブリングシーケンスは、セル／基地局に固有であり得、ロケーションサーバ（例えば、図１のＬＭＦ１２０）からの支援データから取得され得る（または、支援データから取得された情報に基づいて生成され得る）。次いで、周波数領域ベクトルは、時間領域データを生成するために、ＩＦＦＴプロセッサによって処理され得、これは、次いで、ビットストリームを復元するために復調され得る。ブロック７３０における機能を実行するための手段は、図８に例示されおよび以下でより詳細に説明されるようなＵＥ１０５のバス８０５、（１つまたは複数の）処理ユニット８１０、ワイヤレス通信インターフェース８３０、メモリ８６０、ＧＮＳＳ受信機８８０、および／または他のハードウェアおよび／またはソフトウェア構成要素を備え得る。
【０１００】
[0106]ブロック７４０において、機能は、無線信号のシーケンスがポジション測定信号ビットストリームを表すと決定することに応答して：モバイルデバイス上で、処理することの結果に基づいて、ポジション測定信号ビットストリームを受信した時間を決定することと、モバイルデバイスにおいて、ポジション測定信号ビットストリームを受信した時間に基づいて、ポジション測定を実行することと、を含む。時間は、例えば、電力が所定の閾値を超える（ブロック７３０から取得される）ピーク信号のためのサンプルタイムスタンプを決定することに基づいて決定され得る。サンプルタイムスタンプは、ポジション測定信号ビットストリームを受信した時間を表すために使用され得る。ＵＥは、複数の基地局からポジション測定信号ビットストリームを受信し、受信されたポジション測定信号についてのピークサンプルタイムスタンプを測定し得、ポジション測定は、サンプルタイムスタンプに基づいて実行され得る。他方では、ブロック７３０において、ポジション測定信号ビットストリームが無線信号から検出されなかった場合、ＵＥは、例えば、ブロック７１０に戻ることによって、受信された無線信号の次のセットを処理することに進み得る。ブロック７４０における機能を実行するための手段は、図８に例示されおよび以下でより詳細に説明されるようなＵＥ１０５のバス８０５、（１つまたは複数の）処理ユニット８１０、ワイヤレス通信インターフェース８３０、メモリ８６０、ＧＮＳＳ受信機８８０、および／または他のハードウェアおよび／またはソフトウェア構成要素を備え得る。
【０１０１】
６．システム
[0107]図８は、（例えば、図１〜図９に関連して）本明細書で上記に説明されたように利用され得るＵＥ１０５の実施形態を例示する。例えば、ＵＥ１０５は、図７の方法７００の機能のうちの１つまたは複数を実行し得る。図８は、様々な構成要素の一般化された例示を提供することのみを意図しており、それらのいずれかまたは全てが適宜に利用され得ることに留意されたい。いくつかの事例では、図８によって例示される構成要素は、単一の物理デバイスに局所化され、および／または、異なる物理的なロケーションに配置され得る（例えば、ユーザの身体の異なる部分に位置し、このケースでは、これら構成要素は、パーソナルエリアネットワーク（ＰＡＮ）および／または他の手段を介して通信可能に接続され得る）様々なネットワーク化されたデバイス間で分散され得ることが留意され得る。
【０１０２】
[0108]バス８０５を介して電気的に結合され得る（または、適宜、他の方法で通信状態にあり得る）ハードウェア要素を備えるＵＥ１０５が示される。ハードウェア要素は、（１つまたは複数の）処理ユニット８１０を含み得、これは、限定はしないが、１つまたは複数の汎用プロセッサ、１つまたは複数の専用プロセッサ（デジタル信号処理（ＤＳＰ）チップ、グラフィックスアクセラレーションプロセッサ、特定用途向け集積回路（ＡＳＩＣ）、および／または同様のものなど）、および／または、他の処理構造または手段を含み得る。図８に示されるように、いくつかの実施形態は、所望の機能に依存して、別個のＤＳＰ８２０を有し得る。ワイヤレス通信に基づくロケーション決定および／または他の決定は、（以下で説明される）（１つまたは複数の）処理ユニット８１０および／またはワイヤレス通信インターフェース８３０において提供され得る。ＵＥ１０５はまた、限定はしないが、タッチスクリーン、タッチパッド、マイクロフォン、（１つまたは複数の）ボタン、（１つまたは複数の）ダイアル、（１つまたは複数の）スイッチ、および／または同様のものを含み得る１つまたは複数の入力デバイス８７０と、限定はしないが、ディスプレイ、発光ダイオード（ＬＥＤ）、スピーカ、および／または同様のものを含み得る１つまたは複数の出力デバイス８１５とを含み得る。
【０１０３】
[0109]ＵＥ１０５はまた、ワイヤレス通信インターフェース８３０を含み得、これは、限定はしないが、モデム、ネットワークカード、赤外線通信デバイス、ワイヤレス通信デバイス、および／またはチップセット（Ｂｌｕｅｔｏｏｔｈ（登録商標）デバイス、ＩＥＥＥ８０２．１１デバイス、ＩＥＥＥ８０２．１５．４デバイス、Ｗｉ−Ｆｉデバイス、ＷｉＭａｘデバイス、セルラ通信設備など）、および／または同様のものを備え得、これは、ＵＥ１０５が、図１に関して上記で説明されたネットワークを介して通信することを可能にし得る。ワイヤレス通信インターフェース８３０は、データが、ネットワーク、ｅＮＢ、ｇＮＢ、および／または他のネットワーク構成要素、コンピュータシステム、および／または本明細書で説明されるその他任意の電子デバイスと通信されることを許可し得る。通信は、ワイヤレス信号８３４を送るおよび／または受信する１つまたは複数のワイヤレス通信アンテナ８３２を介して行われ得る。
【０１０４】
[0110]所望の機能に依存して、ワイヤレス通信インターフェース８３０は、ワイヤレスデバイスおよびアクセスポイントなどの、他の地上トランシーバおよび基地局（例えば、ｅＮＢおよびｇＮＢ）と通信するための別個のトランシーバを備え得る。ＵＥ１０５は、様々なネットワークタイプを備え得る異なるデータネットワークと通信し得る。例えば、ワイヤレスワイドエリアネットワーク（ＷＷＡＮ）は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ＷｉＭａｘ（ＩＥＥＥ８０２．１６）などであり得る。ＣＤＭＡネットワークは、ｃｄｍａ２０００、広帯域ＣＤＭＡ（Ｗ−ＣＤＭＡ（登録商標））などのような、１つまたは複数の無線アクセス技術（ＲＡＴ）をインプリメントし得る。ｃｄｍａ２０００は、ＩＳ−９５、ＩＳ−２０００、および／またはＩＳ−８５６規格を含む。ＴＤＭＡネットワークは、モバイル通信のためのグローバルシステム（ＧＳＭ）、デジタルアドバンストモバイル電話システム（Ｄ−ＡＭＰＳ）、または何らかの他のＲＡＴをインプリメントし得る。ＯＦＤＭＡネットワークは、ＬＴＥ、ＬＴＥアドバンストなどを用い得る。５Ｇ、ＬＴＥ、ＬＴＥアドバンスト、ＧＳＭ、およびＷ−ＣＤＭＡは、３ＧＰＰからの文書に説明されている。ｃｄｍａ２０００は、「第３世代パートナーシッププロジェクト２」（３ＧＰＰ２）という名称のコンソーシアムからの文書に説明されている。３ＧＰＰおよび３ＧＰＰ２の文書は、公的に入手可能である。ワイヤレスローカルエリアネットワーク（ＷＬＡＮ）はまた、ＩＥＥＥ８０２．１１ｘネットワークであり得、ワイヤレスパーソナルエリアネットワーク（ＷＰＡＮ）は、Ｂｌｕｅｔｏｏｔｈネットワーク、ＩＥＥＥ８０２．１５ｘ、または何らかの他のタイプのネットワークであり得る。本明細書で説明された技法はまた、ＷＷＡＮ、ＷＬＡＮ、および／またはＷＰＡＮの任意の組合せのために使用され得る。
【０１０５】
[0111]ＵＥ１０５は、（１つまたは複数の）センサ８４０をさらに含み得る。このようなセンサは、限定はしないが、１つまたは複数の慣性センサ（例えば、（１つまたは複数の）加速度計、（１つまたは複数の）ジャイロスコープ、およびまたは他のＩＭＵ）、（１つまたは複数の）カメラ、（１つまたは複数の）磁力計、（１つまたは複数の）高度計、（１つまたは複数の）マイクロフォン、（１つまたは複数の）近接センサ、（１つまたは複数の）光センサ、および同様のものを備え得、これらのうちのいくつかは、本明細書で説明されたポジション決定を補完および／または促進するために使用され得る。
【０１０６】
[0112]ＵＥ１０５の実施形態はまた、ＧＮＳＳアンテナ８８２を使用して、１つまたは複数のＧＮＳＳ衛星（例えば、ＳＶ１９０）から信号８８４を受信することが可能なＧＮＳＳ受信機８８０を含み得る。このような測位は、本明細書で説明された技法を補完および／または組み込むために利用され得る。ＧＮＳＳ受信機８８０は、全地球測位システム（ＧＰＳ）、ガリレオ、グロナス、コンパス、日本上空の準天頂衛星システム（ＱＺＳＳ）、インド上空のインド地域航法衛星システム（ＩＲＮＳＳ）、中国上空の北斗、および／または同様のものなどの、ＧＮＳＳシステムのＧＮＳＳ  ＳＶから、従来の技法を使用して、ＵＥ１０５のポジションを抽出し得る。さらに、ＧＮＳＳ受信機８８０は、１つまたは複数の全地球および／または地域航法衛星システムに関連付けられ得るか、またはさもなければ、それとの使用のために有効にされ得る、様々な補強システム（例えば、静止衛星型衛星航法補強システム（ＳＢＡＳ））と共に使用され得る。限定ではなく例として、ＳＢＡＳは、例えば、広域補強システム（ＷＡＡＳ）、欧州静止衛星航法オーバレイサービス（ＥＧＮＯＳ）、運輸多目的衛星用衛星航法補強システム（ＭＳＡＳ）、ＧＰＳ支援静止衛星補強航法またはＧＰＳおよび静止衛星補強航法システム（ＧＡＧＡＮ）、および／または同様のものなどの、インテグリティ情報、ディファレンシャル補正などを提供する（１つまたは複数の）補強システムを含み得る。したがって、本明細書で使用される場合、ＧＮＳＳは、１つまたは複数の全地球および／または地域航法衛星システムおよび／または補強システムの任意の組合せを含み得、ＧＮＳＳ信号は、ＧＮＳＳ信号、ＧＮＳＳのような（GNSS-like）信号、および／またはそのような１つまたは複数のＧＮＳＳに関連付けられた他の信号を含み得る。
【０１０７】
[0113]ＵＥ１０５は、メモリ８６０をさらに含み、および／またはそれと通信状態にあり得る。メモリ８６０は、限定はしないが、ローカルおよび／またはネットワークアクセス可能な記憶装置、ディスクドライブ、ドライブアレイ、光学記憶デバイス、プログラム可能で、フラッシュ更新可能であり得るランダムアクセスメモリ（「ＲＡＭ」）および／または読取専用メモリ（「ＲＯＭ」）などのソリッドステート記憶デバイス、および／または同様のものを含み得る。このような記憶デバイスは、限定はしないが、様々なファイルシステム、データベース構造、および／または同様のものを含む、任意の適切なデータ記憶をインプリメントするように構成され得る。
【０１０８】
[0114]ＵＥ１０５のメモリ８６０はまた、オペレーティングシステム、デバイスドライバ、実行可能ライブラリ、および／または、本明細書で説明されるように、様々な実施形態によって提供されるコンピュータプログラムを備え得、および／または他の実施形態によって提供される方法をインプリメントしおよび／またはシステムを構成するように設計され得る、１つまたは複数のアプリケーションプログラムなどの他のコードを含む、ソフトウェア要素（図８には図示せず）を備え得る。単に例として、上述された（１つまたは複数の）方法に関して説明された１つまたは複数のプロシージャは、ＵＥ１０５（および／または、ＵＥ１０５内の（１つまたは複数の）処理ユニット８１０またはＤＳＰ８２０）によって実行可能であるコードおよび／または命令としてインプリメントされ得る。次いで、ある態様では、そのようなコードおよび／または命令は、説明された方法に従って、１つまたは複数の動作を実行するように汎用コンピュータ（または、他のデバイス）を構成および／または適合させるために使用され得る。
【０１０９】
[0115]図９は、通信ネットワークサーバ９００の実施形態を例示し、これは、５Ｇ  ＲＡＮおよび５ＧＣを含む、５Ｇネットワークの様々な構成要素、および／または他のネットワークタイプの同様の構成要素を含む、通信システム（例えば、図１の通信システム１００）の１つまたは複数の構成要素に組み込まれおよび／または利用され得る。図９は、図６に関連して説明された方法などの、様々な他の実施形態によって提供された方法を実行し得る通信ネットワークサーバ９００の一実施形態の概略図を提供する。図９は、様々な構成要素の一般化された例示を提供することのみを意図しており、それらのいずれかまたは全てが適宜に利用され得ることに留意されたい。したがって、図９は、どのように個々のシステム要素が、比較的別々の、または比較的より統合された方法でインプリメントされ得るかを広く例示する。加えて、図９によって例示される構成要素は、単一のデバイスに局所化され、および／または、異なる物理的または地理的なロケーションに配置され得る様々なネットワーク化されたデバイスの間で分散され得ることが留意され得る。いくつかの実施形態では、通信ネットワークサーバ９００は、ＬＭＦ１２０、ｇＮＢ１１０（例えば、ｇＮＢ１１０−１）、ｅＮＢ、Ｅ−ＳＭＬＣ、ＳＵＰＬ  ＳＬＰ、および／または何らかの他のタイプの位置特定対応デバイス（location-capable device）に対応し得る。
【０１１０】
[0116]バス９０５を介して電気的に結合され得る（または、適宜、他の方法で通信状態にあり得る）ハードウェア要素を備える通信ネットワークサーバ９００が示される。ハードウェア要素は、（１つまたは複数の）処理ユニット９１０を含み得、これは、限定はしないが、１つまたは複数の汎用プロセッサ、１つまたは複数の専用プロセッサ（デジタル信号処理チップ、グラフィックスアクセラレーションプロセッサ、および／または同様のものなど）、および／または他の処理構造を含み得、これは、図６に関連して説明された方法を含む、本明細書で説明された方法のうちの１つまたは複数を実行するように構成され得る。通信ネットワークサーバ９００はまた、限定はしないが、マウス、キーボード、カメラ、マイクロフォン、および／または同様のものを含み得る１つまたは複数の入力デバイス９１５と、限定はしないが、ディスプレイデバイス、プリンタ、および／または同様のものを含み得る１つまたは複数の出力デバイス９２０とを含み得る。
【０１１１】
[0117]通信ネットワークサーバ９００は、１つまたは複数の非一時的な記憶デバイス９２５をさらに含み（および／または、それと通信状態にあり）得、これは、限定はしないが、ローカルおよび／またはネットワークアクセス可能な記憶装置を備え得、および／または、限定はしないが、ディスクドライブ、ドライブアレイ、光学記憶デバイス、プログラム可能、フラッシュ更新可能、および／または同様のものであり得る、ランダムアクセスメモリ（「ＲＡＭ」）、および／または読取専用メモリ（「ＲＯＭ」）などのソリッドステート記憶デバイスを含み得る。このような記憶デバイスは、限定はしないが、様々なファイルシステム、データベース構造、および／または同様のものを含む、任意の適切なデータ記憶をインプリメントするように構成され得る。
【０１１２】
[0118]通信ネットワークサーバ９００はまた、通信サブシステム９３０を含み得、これは、ワイヤレス通信インターフェース９３３によって管理および制御される（いくつかの実施形態では）ワイヤレス通信技術および／またはワイヤライン通信技術のサポートを含み得る。通信サブシステム９３０は、モデム、ネットワークカード（ワイヤレスまたはワイヤード）、赤外線通信デバイス、ワイヤレス通信デバイス、および／またはチップセット、および／または同様のものを含み得る。通信サブシステム９３０は、データが、ネットワーク、モバイルデバイス、他のコンピュータシステム、および／または本明細書で説明されたその他任意の電子デバイスと交換されることを許可するために、ワイヤレス通信インターフェース９３３などの、１つまたは複数の入力および／または出力通信インターフェースを含み得る。「モバイルデバイス」および「ＵＥ」という用語は、限定はしないが、モバイルフォン、スマートフォン、ウェアラブルデバイス、モバイルコンピューティングデバイス（例えば、ラップトップ、ＰＤＡ、タブレット）、埋め込みモデム、ならびに自動車用および他の乗り物用のコンピューティングデバイスなどの、任意のモバイル通信デバイスを指すように、本明細書で交換可能に使用されることに留意されたい。
【０１１３】
[0119]多くの実施形態では、通信ネットワークサーバ９００は、ＲＡＭおよび／またはＲＯＭデバイスを含み得る、ワーキングメモリ９３５をさらに備えることになる。ワーキングメモリ９３５内に位置するものとして示されるソフトウェア要素は、オペレーティングシステム９４０、デバイスドライバ、実行可能ライブラリ、および／または、本明細書で説明されるように、様々な実施形態によって提供されるコンピュータプログラムを備え得、および／または他の実施形態によって提供される方法をインプリメントし、および／またはシステムを構成するように設計され得る（１つまたは複数の）アプリケーション９４５などの他のコードを含み得る。単に例として、図６に関連して説明された方法などの、上述された（１つまたは複数の）方法に関して説明された１つまたは複数のプロシージャは、コンピュータ（および／または、（コンピュータ内の処理ユニット）によって実行可能であるコードおよび／または命令としてインプリメントされ得、次いで、ある態様では、そのようなコードおよび／または命令は、説明された方法に従って、１つまたは複数の動作を実行するように汎用コンピュータ（または、他のデバイス）を構成および／または適合させるために使用され得る。
【０１１４】
[0120]これらの命令および／またはコードのセットは、上記で説明された（１つまたは複数の）記憶デバイス９２５などの、非一時的なコンピュータ可読記憶媒体上に記憶され得る。いくつかのケースでは、記憶媒体は、通信ネットワークサーバ９００などの、コンピュータシステム内に組み込まれ得る。他の実施形態では、記憶媒体は、コンピュータシステムとは別個であり（例えば、光ディスクなどのリムーバブル媒体）、および／または、インストールパッケージにおいて提供され得、これにより、記憶媒体は、その上に記憶された命令／コードを用いて汎用コンピュータをプログラム、構成、および／または適合させるために使用され得る。これらの命令は、通信ネットワークサーバ９００によって実行可能である実行可能コードの形態を取り得、および／または、ソースおよび／またはインストール可能コードの形態を取り得、これは、（例えば、様々な一般的に利用可能なコンパイラ、インストールプログラム、圧縮／解凍ユーティリティなどのうちの任意のものを使用した）通信ネットワークサーバ９００上でのコンパイルおよび／またはインストールの際には、実行可能コードの形態を取る。
【０１１５】
[0121]図１０は、（例えば、図１〜図７に関連して）本明細書で上記に説明されたように利用され得る基地局１０００の実施形態を例示する。例えば、基地局１０００は、図６の方法６００の機能のうちの１つまたは複数を実行し得る。図１０は、様々な構成要素の一般化された例示を提供することのみを意図しており、それらのいずれかまたは全てが適宜に利用され得ることに留意されたい。いくつかの実施形態では、基地局１０００は、本明細書で上記に説明されたようなＬＭＦ１２０、ｇＮＢ１１０、ｎｇ−ｅＮＢ１１４に対応し得る。
【０１１６】
[0122]バス１００５を介して電気的に結合され得る（または、適宜、他の方法で通信状態にあり得る）ハードウェア要素を備える基地局１０００が示される。ハードウェア要素は、（１つまたは複数の）処理ユニット１０１０を含み得、これは、限定はしないが、１つまたは複数の汎用プロセッサ、１つまたは複数の専用プロセッサ（デジタル信号処理（ＤＳＰ）チップ、グラフィックスアクセラレーションプロセッサ、特定用途向け集積回路（ＡＳＩＣ）、および／または同様のものなど）、および／または、他の処理構造または手段を含み得る。図１０に示されるように、いくつかの実施形態は、所望の機能に依存して、別個のデジタルシグナルプロセッサ（ＤＳＰ）１０２０を有し得る。ワイヤレス通信に基づくロケーション決定および／または他の決定は、（以下で説明される）（１つまたは複数の）処理ユニット１０１０および／またはワイヤレス通信インターフェース１０３０において提供され得る。基地局１０００はまた、限定はしないが、キーボード、ディスプレイ、マウス、マイクロフォン、（１つまたは複数の）ボタン、（１つまたは複数の）ダイアル、（１つまたは複数の）スイッチ、および／または同様のものを含み得る１つまたは複数の入力デバイス１０７０と、限定はしないが、ディスプレイ、発光ダイオード（ＬＥＤ）、スピーカ、および／または同様のものを含み得る１つまたは複数の出力デバイス１０１５とを含み得る。
【０１１７】
[0123]基地局１０００はまた、ワイヤレス通信インターフェース１０３０を含み得、これは、限定はしないが、モデム、ネットワークカード、赤外線通信デバイス、ワイヤレス通信デバイス、および／またはチップセット（Ｂｌｕｅｔｏｏｔｈ（登録商標）デバイス、ＩＥＥＥ８０２．１１デバイス、ＩＥＥＥ８０２．１５．４デバイス、ＷｉＦｉデバイス、ＷｉＭａｘデバイス、セルラ通信設備など）、および／または同様のものを備え得、これは、基地局１０００が、本明細書で説明されたように通信することを可能にし得る。ワイヤレス通信インターフェース１０３０は、データおよびシグナリングが、ＵＥ、他の基地局（例えば、ｅＮＢ、ｇＮＢ、およびｎｇ−ｅＮＢ）、および／または他のネットワーク構成要素、コンピュータシステム、および／または本明細書で説明されたその他任意の電子デバイスと通信される（例えば、送信および受信される）ことを許可し得る。通信は、ワイヤレス信号９３４を送るおよび／または受信する１つまたは複数のワイヤレス通信アンテナ１０３２を介して行われ得る。
【０１１８】
[0124]基地局１０００はまた、ネットワークインターフェース１０８０を含み得、これは、ワイヤライン通信技術のサポートを含み得る。ネットワークインターフェース１０８０は、モデム、ネットワークカード、チップセット、および／または同様のものを含み得る。ネットワークインターフェース１０８０は、データが、ネットワーク、通信ネットワークサーバ、コンピュータシステム、および／または本明細書で説明されたその他任意の電子デバイスと交換されることを許可するために、１つまたは複数の入力および／または出力通信インターフェースを含み得る。
【０１１９】
[0125]多くの実施形態では、基地局１０００は、メモリ１０６０をさらに備えることになる。メモリ１０６０は、限定はしないが、ローカルおよび／またはネットワークアクセス可能な記憶装置、ディスクドライブ、ドライブアレイ、光学記憶デバイス、プログラム可能で、フラッシュ更新可能であり得るＲＡＭおよび／またはＲＯＭなどのソリッドステート記憶デバイス、および／または同様のものを含み得る。このような記憶デバイスは、限定はしないが、様々なファイルシステム、データベース構造、および／または同様のものを含む、任意の適切なデータ記憶をインプリメントするように構成され得る。
【０１２０】
[0126]基地局１０００のメモリ１０６０はまた、オペレーティングシステム、デバイスドライバ、実行可能ライブラリ、および／または、本明細書で説明されるように、様々な実施形態によって提供されるコンピュータプログラムを備え得、および／または他の実施形態によって提供される方法をインプリメントしおよび／またはシステムを構成するように設計され得る、１つまたは複数のアプリケーションプログラムなどの他のコードを含む、ソフトウェア要素（図１０には図示せず）を備え得る。単に例として、上述された（１つまたは複数の）方法に関して説明された１つまたは複数のプロシージャは、基地局１０００（および／または、基地局１０００内の（１つまたは複数の）処理ユニット９１０またはＤＳＰ１０２０）によって実行可能である、メモリ１０６０におけるコードおよび／または命令としてインプリメントされ得る。次いで、ある態様では、そのようなコードおよび／または命令は、説明された方法に従って、１つまたは複数の動作を実行するように汎用コンピュータ（または、他のデバイス）を構成および／または適合させるために使用され得る。
【０１２１】
[0127]いくつかの例によれば、ワイヤレス通信ネットワークにおいてポジション測定信号を提供するための装置が提供される。装置は、ダウンリンク送信のための複数のサブキャリアを決定するための手段を備え、ここにおいて、ダウンリンク送信のための複数のサブキャリアは、スケジュールされた送信機会内のスケジュールされた送信時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである。装置は、スケジュールされた送信時間において、かつ、複数のサブキャリアの各サブキャリアを使用して、スケジュールされた送信機会においてワイヤレスポジション測定信号を送信するための手段をさらに備え、ワイヤレスポジション測定信号は、ポジション測定信号ビットストリームを表すワイヤレス信号のシーケンスの一部である。ワイヤレスポジション測定信号は、複数のシンボル期間のうちの１つまたは複数のシンボル期間において送信される１つまたは複数のシンボルを備える。ワイヤレスポジション測定信号のスケジュールされた送信機会のタイミングは、それが、そのタイミングに基づいてポジション測定が行われることを可能にするようなものである。
【０１２２】
[0128]いくつかの態様では、ワイヤレスポジション測定信号は、複数のシンボルを備え、複数のシンボルの各シンボルは、複数のシンボル期間の各シンボル期間において送信されている。複数のシンボルの各シンボルは、複数のサブキャリアの各サブキャリアが、複数のシンボルを備えるワイヤレスポジション測定信号の送信のために少なくとも１回使用されるように、複数のサブキャリアのうちの少なくとも１つのサブキャリアを使用して送信される。いくつかの態様では、複数のサブキャリアのうちの少なくとも２つのサブキャリアが、異なる数のシンボルの送信のために使用される。
【０１２３】
[0129]いくつかの態様では、１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、複数のサブキャリアのうちの、２つの異なるセットのサブキャリアを使用して送信される２つのシンボルを備える。いくつかの態様では、１つまたは複数のシンボルの各シンボルは、複数のサブキャリアを使用して送信される。
【０１２４】
[0130]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【０１２５】
[0131]いくつかの例によれば、ポジション測定を実行するための装置が提供される。装置は、スケジュールされた送信機会内のスケジュールされた時間において、無線信号のシーケンスを受信するための手段と、無線信号のシーケンスを処理するための複数のサブキャリアを決定するための手段、ここにおいて、複数のサブキャリアは、スケジュールされた時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである、と、無線信号のシーケンスがポジション測定信号ビットストリームを表すかどうかを決定するために、リソースブロックの複数のサブキャリアの各々を使用して無線信号のシーケンスを処理するための手段と、無線信号のシーケンスがポジション測定信号ビットストリームを表すと決定することに応答して：処理することの結果に基づいて、ポジション測定信号ビットストリームを受信した時間を決定することと、ポジション測定信号ビットストリームを受信した時間に基づいて、ポジション測定を実行することと、を行うための手段と、を備える。
【０１２６】
[0132]いくつかの態様では、無線信号のシーケンスは、複数のシンボルを表し、複数のシンボルの各シンボルは、複数のシンボル期間の各シンボル期間において送信されている。複数のシンボルの各シンボルは、複数のサブキャリアの各サブキャリアが、複数のシンボルの送信のために少なくとも１回使用されるように、複数のサブキャリアのうちの少なくとも１つのサブキャリアを使用して送信される。いくつかの態様では、複数のサブキャリアのうちの少なくとも２つのサブキャリアが、異なる数のシンボルの送信のために使用される。
【０１２７】
[0133]いくつかの態様では、無線信号のシーケンスは、１つまたは複数のシンボルを備える。１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、２つのシンボルを備える。２つのシンボルは、複数のサブキャリアのうちの、２つの異なるセットのサブキャリアを使用して送信される。いくつかの態様では、１つまたは複数のシンボルの各シンボルは、複数のサブキャリアを使用して送信される。
【０１２８】
[0134]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【０１２９】
[0135]いくつかの態様では、装置は、無線信号のシーケンスのサンプルのセットを生成するための手段、サンプルのセットの各サンプルは、タイムスタンプに関連付けられている、と、複数のサブキャリアの各サブキャリアの振幅および位相のシーケンスを生成するために、高速フーリエ変換（ＦＦＴ）プロセッサを使用してサンプルのセットを処理するための手段と、複数のサブキャリアの各サブキャリアについての１つまたは複数の相関積を取得するために、振幅および位相のシーケンスに対して相関演算を実行するための手段と、複数のサブキャリアの各サブキャリアについての１つまたは複数の相関積の平均を決定するための手段と、複数のサブキャリアの各サブキャリアについての１つまたは複数の相関積の平均に基づいて、周波数領域ベクトルを取得するための手段と、モバイルデバイスにおいて、周波数領域ベクトルに基づいて、時間領域信号のシーケンスを再構築するための手段と、をさらに備える。無線信号のシーケンスがポジション測定信号ビットストリームを表すかどうかを決定するために、リソースブロックの複数のサブキャリアの各々を使用して無線信号のシーケンスを処理することは、無線信号のシーケンスがポジション測定信号ビットストリームを表すかどうかを決定するために、時間領域信号のシーケンスを使用することを備える。
【０１３０】
[0136]いくつかの例によれば、非一時的なコンピュータ可読媒体が提供される。非一時的なコンピュータ可読媒体は、ハードウェアプロセッサによって実行されると、ハードウェアプロセッサに、ワイヤレス通信ネットワークにおいてポジション測定信号を提供するための動作を実行させる命令を記憶する。動作は、ダウンリンク送信のための複数のサブキャリアを決定することを備え、ここにおいて、ダウンリンク送信のための複数のサブキャリアは、スケジュールされた送信機会内のスケジュールされた送信時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである。動作は、スケジュールされた送信時間において、かつ、複数のサブキャリアの各サブキャリアを使用して、スケジュールされた送信機会においてワイヤレスポジション測定信号を送信することをさらに備え、ワイヤレスポジション測定信号は、ポジション測定信号ビットストリームを表すワイヤレス信号のシーケンスの一部である。ワイヤレスポジション測定信号は、複数のシンボル期間のうちの１つまたは複数のシンボル期間において送信される１つまたは複数のシンボルを備える。ワイヤレスポジション測定信号のスケジュールされた送信機会のタイミングは、それが、そのタイミングに基づいてポジション測定が行われることを可能にするようなものである。
【０１３１】
[0137]いくつかの態様では、ワイヤレスポジション測定信号は、複数のシンボルを備え、複数のシンボルの各シンボルは、複数のシンボル期間の各シンボル期間において送信されている。複数のシンボルの各シンボルは、複数のサブキャリアの各サブキャリアが、複数のシンボルを備えるワイヤレスポジション測定信号の送信のために少なくとも１回使用されるように、複数のサブキャリアのうちの少なくとも１つのサブキャリアを使用して送信される。いくつかの態様では、複数のサブキャリアのうちの少なくとも２つのサブキャリアが、異なる数のシンボルの送信のために使用される。
【０１３２】
[0138]いくつかの態様では、１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、複数のサブキャリアのうちの、２つの異なるセットのサブキャリアを使用して送信される２つのシンボルを備える。いくつかの態様では、１つまたは複数のシンボルの各シンボルは、複数のサブキャリアを使用して送信される。
【０１３３】
[0139]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【０１３４】
[0140]いくつかの例によれば、非一時的なコンピュータ可読媒体が提供される。非一時的なコンピュータ可読媒体は、ハードウェアプロセッサによって実行されると、ハードウェアプロセッサに、ポジション測定を実行するための動作を実行させる命令を記憶する。動作は、スケジュールされた送信機会内のスケジュールされた時間において、無線信号のシーケンスを受信することと、無線信号のシーケンスを処理するための複数のサブキャリアを決定すること、ここにおいて、複数のサブキャリアは、スケジュールされた時間のリソースブロックにおいて示される全てのサブキャリアを備え、ここにおいて、リソースブロックは、複数のシンボル期間を備え、ここにおいて、複数のシンボル期間の各シンボル期間は、複数のサブキャリアのうちの１つまたは複数のサブキャリアを使用するシンボルの送信のためのものである、と、を含む。動作はまた、無線信号のシーケンスがポジション測定信号ビットストリームを表すかどうかを決定するために、リソースブロックの複数のサブキャリアの各々を使用して無線信号のシーケンスを処理することと、無線信号のシーケンスがポジション測定信号ビットストリームを表すと決定することに応答して、処理することの結果に基づいて、ポジション測定信号ビットストリームを受信した時間を決定することと、ポジション測定信号ビットストリームを受信した時間に基づいて、ポジション測定を実行することと、を含む。
【０１３５】
[0141]いくつかの態様では、無線信号のシーケンスは、複数のシンボルを表し、複数のシンボルの各シンボルは、複数のシンボル期間の各シンボル期間において送信されている。複数のシンボルの各シンボルは、複数のサブキャリアの各サブキャリアが、複数のシンボルの送信のために少なくとも１回使用されるように、複数のサブキャリアのうちの少なくとも１つのサブキャリアを使用して送信される。いくつかの態様では、複数のサブキャリアのうちの少なくとも２つのサブキャリアが、異なる数のシンボルの送信のために使用される。
【０１３６】
[0142]いくつかの態様では、無線信号のシーケンスは、１つまたは複数のシンボルを備える。１つまたは複数のシンボルの各シンボルは、複数のサブキャリアの各サブキャリアが、同じ数のシンボルの送信のために使用されるように、複数のサブキャリアのうちの１つより多くのサブキャリアを使用して送信される。いくつかの態様では、１つまたは複数のシンボルは、２つのシンボルを備える。２つのシンボルは、複数のサブキャリアのうちの、２つの異なるセットのサブキャリアを使用して送信される。いくつかの態様では、１つまたは複数のシンボルの各シンボルは、複数のサブキャリアを使用して送信される。
【０１３７】
[0143]いくつかの態様では、リソースブロックは、物理リソースブロック（ＰＲＢ）を含む。複数のシンボル期間の各シンボル期間と、複数のサブキャリアの各サブキャリアとのペアリングは、ＰＲＢのリソース要素（ＲＥ）を形成する。
【０１３８】
[0144]いくつかの態様では、非一時的なコンピュータ可読媒体は、ハードウェアプロセッサによって実行されると、ハードウェアプロセッサに、無線信号のシーケンスのサンプルのセットを生成すること、サンプルのセットの各サンプルは、タイムスタンプに関連付けられている、と、複数のサブキャリアの各サブキャリアの振幅および位相のシーケンスを生成するために、高速フーリエ変換（ＦＦＴ）プロセッサを使用してサンプルのセットを処理することと、複数のサブキャリアの各サブキャリアについての１つまたは複数の相関積を取得するために、振幅および位相のシーケンスに対して相関演算を実行することと、複数のサブキャリアの各サブキャリアについての１つまたは複数の相関積の平均を決定することと、複数のサブキャリアの各サブキャリアについての１つまたは複数の相関積の平均に基づいて、周波数領域ベクトルを取得することと、モバイルデバイスにおいて、周波数領域ベクトルに基づいて、時間領域信号のシーケンスを再構築することと、を含む動作を実行させる命令をさらに記憶する。無線信号のシーケンスがポジション測定信号ビットストリームを表すかどうかを決定するために、リソースブロックの複数のサブキャリアの各々を使用して無線信号のシーケンスを処理することは、無線信号のシーケンスがポジション測定信号ビットストリームを表すかどうかを決定するために、時間領域信号のシーケンスを使用することを備える。
【０１３９】
[0145]実質的な変形が特定の要件に従ってなされ得ることが、当業者には明らかであろう。例えば、カスタマイズされたハードウェアもまた使用され得、および／または、特定の要素が、ハードウェア、（アプレットなどのポータブルソフトウェアなどを含む）ソフトウェア、または両方でインプリメントされ得る。さらに、ネットワーク入力／出力デバイスなどの他のコンピューティングデバイスへの接続が用いられ得る。
【０１４０】
[0146]添付の図面を参照すると、メモリを含み得る構成要素は、非一時的な機械可読媒体を含み得る。本明細書で使用される場合、「機械可読媒体」および「コンピュータ可読媒体」という用語は、機械を特定のやり方で動作させるデータを提供することに参加する任意の記憶媒体を指す。以上で提供された実施形態では、様々な機械可読媒体は、実行のために処理ユニットおよび／または（１つまたは複数の）他のデバイスに命令／コードを提供することに関与し得る。追加または代替として、機械可読媒体は、このような命令／コードを記憶および／または搬送するために使用され得る。多くのインプリメンテーションでは、コンピュータ可読媒体は、物理的なおよび／または有形の記憶媒体である。このような媒体は、限定はしないが、不揮発性媒体、揮発性媒体、および伝送媒体を含む、多くの形態を取り得る。コンピュータ可読媒体の一般的な形態は、例えば、磁気媒体および／または光学媒体、パンチカード、紙テープ、孔のパターンを有するその他任意の物理的な媒体、ＲＡＭ、ＰＲＯＭ、ＥＰＲＯＭ、ＦＬＡＳＨ（登録商標）−ＥＰＲＯＭ、その他任意のメモリチップまたはカートリッジ、以下に説明されるような搬送波、あるいはコンピュータがそこから命令および／またはコードを読み取ることができるその他任意の媒体を含む。
【０１４１】
[0147]本明細書で説明された方法、システム、およびデバイスは、例である。様々な実施形態は、適宜、様々なプロシージャまたは構成要素を省略、代用、または追加し得る。例えば、ある特定の実施形態に関して説明された特徴は、様々な他の実施形態において組み合わされ得る。実施形態の異なる態様および要素は、同様の方法で組み合わされ得る。本明細書で提供される図面の様々な構成要素は、ハードウェアおよび／またはソフトウェアにおいて具現化され得る。また、技術は発展し、したがって、要素の多くは、本開示の範囲をそれらの特定の例に限定しない例である。
【０１４２】
[0148]主に一般的な使用法の理由から、このような信号を、ビット、情報、値、要素、シンボル、文字、変数、項、数、数字、または同様のものとして参照することが、時として便利であることがわかっている。しかしながら、これらまたは同様の用語の全てが、適切な物理量に関連付けられるべきであり、単なる便利なラベルにすぎないことが理解されるべきである。別段に明記されていない限り、上記の説明から明らかであるように、本明細書全体にわたって、「処理する」、「計算する」、「算出する」、「決定する」、「確認する」、「識別する」、「関連付ける」、「測定する」、「実行する」、または同様のことなどの用語を利用した説明は、専用コンピュータまたは同様の専用電子コンピューティングデバイスなどの、特定の装置のアクションまたはプロセスを指すことが理解される。したがって、本明細書のコンテキストでは、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の、物理的な電子的、電気的、または磁気的な量として典型的に表される信号を操作または変換することが可能である。
【０１４３】
[0149]本明細書で使用される場合、「および（and）」および「または（or）」という用語は、このような用語が使用されるコンテキストに少なくとも部分的に依存することも予期される、様々な意味を含み得る。典型的に、「または」は、Ａ、Ｂ、またはＣなどの列挙を関連付けるために使用される場合、ここで包含的な意味で使用される場合は、Ａ、Ｂ、およびＣを意味し、ならびに、ここで排他的な意味で使用される場合は、Ａ、Ｂ、またはＣを意味するように意図される。加えて、本明細書で使用される場合、「１つまたは複数」という用語は、単数形における任意の特徴、構造、または特性を説明するために使用され得、または特徴、構造、または特性の何らかの組合せを説明するために使用され得る。しかしながら、これは単なる例示的な例にすぎず、特許請求される主題は、この例に限定されるものではないことに留意されたい。さらに、「〜のうちの少なくとも１つ」という用語は、Ａ、Ｂ、またはＣなどの列挙を関連付けるために使用される場合、Ａ、ＡＢ、ＡＡ、ＡＡＢ、ＡＡＢＢＣＣＣなどのような、Ａ、Ｂ、および／またはＣの任意の組合せを意味すると解釈され得る。
【０１４４】
[0150]いくつかの実施形態が説明されてきたが、様々な修正、代替の構造、および同等物が、本開示の趣旨から逸脱することなく使用され得る。例えば、上記要素は、より大きいシステムの単なる構成要素にすぎず、ここにおいて、他の規則が、様々な実施形態のアプリケーションに優先するか、またはさもなければそれらを修正し得る。また、上記要素が考慮される前、考慮されている間、または考慮された後に、いくつかのステップが着手（undertaken）され得る。したがって、上記説明は、本開示の範囲を限定しない。
【図１】
2021520709.tif 000010
【図２Ａ】
2021520709.tif 000011
【図２Ｂ】
2021520709.tif 000012
【図２Ｃ】
2021520709.tif 000013
【図２Ｄ】
2021520709.tif 000014
【図２Ｅ】
2021520709.tif 000015
【図２Ｆ】
2021520709.tif 000016
【図３Ａ】
2021520709.tif 000017
【図３Ｂ】
2021520709.tif 000018
【図３Ｃ】
2021520709.tif 000019
【図３Ｄ】
2021520709.tif 000020
【図３Ｅ】
2021520709.tif 000021
【図４Ａ】
2021520709.tif 000022
【図４Ｂ】
2021520709.tif 000023
【図４Ｃ】
2021520709.tif 000024
【図５Ａ】
2021520709.tif 000025
【図５Ｂ】
2021520709.tif 000026
【図５Ｃ】
2021520709.tif 000027
【図５Ｄ】
2021520709.tif 000028
【図６】
2021520709.tif 000029
【図７】
2021520709.tif 000030
【図８】
2021520709.tif 000031
【図９】
2021520709.tif 000032
【図１０】
2021520709.tif 000033
【国際調査報告】
2021520709.tif 000034
2021520709.tif 000035
2021520709.tif 000036